(57)【要約】【課題】フォトルミネッセンス材料を利用する発光素子の輝度、指向性、または偏光特性を制御することが可能な、新規な構造を有する発光素子およびそれを備える発光装置を提供する。【解決手段】発光装置３００は、発光素子１００と、励起光源素子１８０とを備え、発光素子は、フォトルミネッセンス層１１０と、透光層１２０と、サブミクロン構造とを有し、サブミクロン構造は、複数の凸部または複数の凹部を含み、フォトルミネッセンス層が発する光は、空気中の波長がλaの第１の光を含み、隣接する凸部間または凹部間の距離をＤintとし、第１の光に対するフォトルミネッセンス層の屈折率をｎwav-aとすると、λa／ｎwav-a＜Ｄint＜λaの関係が成り立ち、励起光源素子は、フォトルミネッセンス層に導入される励起光を発し、発光素子と励起光源素子とが一体的に形成されている。【選択図】図３１
2016034017.tif 000002
【特許請求の範囲】
【請求項１】
発光素子と、励起光源素子とを備え、
前記発光素子は、
フォトルミネッセンス層と、
前記フォトルミネッセンス層に近接して配置された透光層と、
前記フォトルミネッセンス層および前記透光層の少なくとも一方に形成され、前記フォトルミネッセンス層または前記透光層の面内に広がるサブミクロン構造と、を有し、
前記サブミクロン構造は、複数の凸部または複数の凹部を含み、
前記フォトルミネッセンス層が発する光は、空気中の波長がλaの第１の光を含み、
隣接する凸部間または凹部間の距離をＤintとし、前記第１の光に対する前記フォトルミネッセンス層の屈折率をｎwav-aとすると、λa／ｎwav-a＜Ｄint＜λaの関係が成り立ち、
前記励起光源素子は、前記フォトルミネッセンス層に導入される励起光を発し、
前記発光素子と前記励起光源素子とが一体的に形成されている、発光装置。
【請求項２】
前記サブミクロン構造は、前記複数の凸部または前記複数の凹部によって形成された少なくとも１つの周期構造を含み、前記少なくとも１つの周期構造は、周期をｐaとすると、λa／ｎwav-a＜ｐa＜λaの関係が成り立つ第１周期構造を含む、請求項１に記載の発光装置。
【請求項３】
前記発光素子は、前記フォトルミネッセンス層および前記透光層と、前記励起光源素子との間に、低屈折率層をさらに有し、
前記低屈折率層の前記第１の光に対する屈折率は、前記フォトルミネッセンス層の前記第１の光に対する屈折率よりも小さい、請求項１または２に記載の発光装置。
【請求項４】
前記低屈折率層は、前記励起光源素子側に、複数の第２の凸部を有する、請求項３に記載の発光装置。
【請求項５】
前記励起光源素子の出射面は、前記フォトルミネッセンス層または前記透光層と直接接する、請求項１または２に記載の発光装置。
【請求項６】
前記励起光源素子の出射面は、前記低屈折率層と直接接する、請求項３または４に記載の発光装置。
【請求項７】
前記発光素子は、前記フォトルミネッセンス層を透過した光を選択的に反射する選択反射層をさらに有する、請求項１から６のいずれかに記載の発光装置。
【請求項８】
発光素子と、励起光源素子とを備え、
前記発光素子は、
透光層と、
前記透光層に形成され、前記透光層の面内に広がるサブミクロン構造と、
前記サブミクロン構造に近接して配置され、励起光を受けて発光するフォトルミネッセンス層と、を有し、
前記サブミクロン構造は、複数の凸部または複数の凹部を含み、
前記フォトルミネッセンス層が発する光は、空気中の波長がλaの第１の光を含み、
前記サブミクロン構造は、前記複数の凸部または前記複数の凹部によって形成された少なくとも１つの周期構造を含み、前記第１の光に対する前記フォトルミネッセンス層の屈折率をｎwav-aとし、前記少なくとも１つの周期構造の周期をｐaとすると、λa／ｎwav-a＜ｐa＜λaの関係が成り立ち、
前記励起光源素子は、前記フォトルミネッセンス層に導入される励起光を発し、
前記発光素子と前記励起光源素子とが一体的に形成されている、発光装置。
【請求項９】
発光素子と、励起光源素子とを備え、
前記発光素子は、
励起光を受けて発光するフォトルミネッセンス層と、
前記フォトルミネッセンス層よりも高屈折率を有する透光層と、
前記透光層に形成され、前記透光層の面内に広がるサブミクロン構造と、を有し、
前記サブミクロン構造は、複数の凸部または複数の凹部を含み、
前記フォトルミネッセンス層が発する光は、空気中の波長がλaの第１の光を含み、
前記サブミクロン構造は、前記複数の凸部または前記複数の凹部によって形成された少なくとも１つの周期構造を含み、前記第１の光に対する前記フォトルミネッセンス層の屈折率をｎwav-aとし、前記少なくとも１つの周期構造の周期をｐaとすると、λa／ｎwav-a＜ｐa＜λaの関係が成り立ち、
前記励起光源素子は、前記フォトルミネッセンス層に導入される励起光を発し、
前記発光素子と前記励起光源素子とが一体的に形成されている、発光装置。
【請求項１０】
前記フォトルミネッセンス層と前記透光層とが互いに接している、請求項１から９のいずれかに記載の発光装置。
【請求項１１】
発光素子と、励起光源素子とを備え、
前記発光素子は、
励起光を受けて発光するフォトルミネッセンス層と、
前記フォトルミネッセンス層に形成され、前記フォトルミネッセンス層の面内に広がるサブミクロン構造と、を有し、
前記サブミクロン構造は、複数の凸部または複数の凹部を含み、
前記フォトルミネッセンス層が発する光は、空気中の波長がλaの第１の光を含み、
前記サブミクロン構造は、前記複数の凸部または前記複数の凹部によって形成された少なくとも１つの周期構造を含み、
前記第１の光に対する前記フォトルミネッセンス層の屈折率をｎwav-aとし、前記少なくとも１つの周期構造の周期をｐaとすると、λa／ｎwav-a＜ｐa＜λaの関係が成り立ち、
前記励起光源素子は、前記フォトルミネッセンス層に導入される励起光を発し、
前記発光素子と前記励起光源素子とが一体的に形成されている、発光装置。
【請求項１２】
前記サブミクロン構造は、前記複数の凸部と前記複数の凹部との双方を含む、請求項１から１１のいずれかに記載の発光装置。
【発明の詳細な説明】
【技術分野】
【０００１】
本開示は、発光装置に関し、特に、フォトルミネッセンス層を有する発光装置に関する。
【背景技術】
【０００２】
照明器具、ディスプレイ、プロジェクターといった光学デバイスでは、多くの用途において、必要な方向に光を出射することが求められる。蛍光灯、白色ＬＥＤなどで使用されるフォトルミネッセンス材料は等方的に発光する。よって、この様な材料は、特定の方向のみに光を出射させるために、リフレクターやレンズなどの光学部品とともに用いられる。例えば、特許文献１は、配光板および補助反射板を用いて指向性を確保した照明システムを開示している。
【先行技術文献】
【特許文献】
【０００３】
【特許文献１】特開２０１０−２３１９４１号公報
【発明の概要】
【発明が解決しようとする課題】
【０００４】
光学デバイスにおいて、リフレクターやレンズなどの光学部品を配置すると、そのスペースを確保するために、光学デバイス自身のサイズを大きくする必要があり、これら光学部品は無くすか、少しでも小型化することが望ましい。
【０００５】
本開示は、フォトルミネッセンス層の発光効率、指向性、または偏光特性を制御することが可能な、新規な構造を有する発光装置を提供する。
【課題を解決するための手段】
【０００６】
本開示のある実施形態の発光装置は、発光素子と、励起光源素子とを備え、前記発光素子は、フォトルミネッセンス層と、前記フォトルミネッセンス層に近接して配置された透光層と、前記フォトルミネッセンス層および前記透光層の少なくとも一方に形成され、前記フォトルミネッセンス層または前記透光層の面内に広がるサブミクロン構造と、を有し、前記サブミクロン構造は、複数の凸部または複数の凹部を含み、前記フォトルミネッセンス層が発する光は、空気中の波長がλaの第１の光を含み、隣接する凸部間または凹部間の距離をＤintとし、前記第１の光に対する前記フォトルミネッセンス層の屈折率をｎwav-aとすると、λa／ｎwav-a＜Ｄint＜λaの関係が成り立ち、前記励起光源素子は、前記フォトルミネッセンス層に導入される励起光を発し、前記発光素子と前記励起光源素子とが一体的に形成されている。
【０００７】
上記の包括的または具体的な態様は、素子、装置、システム、方法、またはこれらの任意の組み合わせで実現されてもよい。
【発明の効果】
【０００８】
本開示のある実施形態による発光装置は、新規な構成を有し、新規なメカニズムに従って、輝度、指向性、または偏光特性を制御することができる。
【図面の簡単な説明】
【０００９】
【図１Ａ】ある実施形態による発光素子の構成を示す斜視図である。
【図１Ｂ】図１Ａに示す発光素子の部分断面図である。
【図１Ｃ】他の実施形態による発光素子の構成を示す斜視図である。
【図１Ｄ】図１Ｃに示す発光素子の部分断面図である。
【図２】発光波長および周期構造の高さをそれぞれ変えて、正面方向に出射する光の増強度を計算した結果を示す図である。
【図３】式（１０）におけるｍ＝１およびｍ＝３の条件を図示したグラフである。
【図４】発光波長およびフォトルミネッセンス層の厚さｔを変えて正面方向に出力する光の増強度を計算した結果を示す図である。
【図５Ａ】厚さｔ＝２３８ｎｍのときに、ｘ方向に導波するモードの電場分布を計算した結果を示す図である。
【図５Ｂ】厚さｔ＝５３９ｎｍのときに、ｘ方向に導波するモードの電場分布を計算した結果を示す図である。
【図５Ｃ】厚さｔ＝３００ｎｍのときに、ｘ方向に導波するモードの電場分布を計算した結果を示す図である。
【図６】図２の計算と同じ条件で、光の偏光がｙ方向に垂直な電場成分を有するＴＥモードである場合について光の増強度を計算した結果を示す図である。
【図７Ａ】２次元の周期構造の例を示す平面図である。
【図７Ｂ】２次元周期構造に関して図２と同様の計算を行った結果を示す図である。
【図８】発光波長および周期構造の屈折率を変えて正面方向に出力する光の増強度を計算した結果を示す図である。
【図９】図８と同様の条件でフォトルミネッセンス層の膜厚を１０００ｎｍにした場合の結果を示す図である。
【図１０】発光波長および周期構造の高さを変えて正面方向に出力する光の増強度を計算した結果を示す図である。
【図１１】図１０と同様の条件で、周期構造の屈折率をｎp＝２．０とした場合の計算結果を示す図である。
【図１２】光の偏光がｙ方向に垂直な電場成分を有するＴＥモードであるものとして図９に示す計算と同様の計算を行った結果を示す図である。
【図１３】図９に示す計算と同様の条件で、フォトルミネッセンス層の屈折率ｎwavを１．５に変更した場合の結果を示す図である。
【図１４】屈折率が１．５の透明基板の上に、図２に示す計算と同じ条件のフォトルミネッセンス層および周期構造を設けた場合の計算結果を示す図である。
【図１５】式（１５）の条件を図示したグラフである。
【図１６】図１Ａ、１Ｂに示す発光素子１００と、励起光をフォトルミネッセンス層１１０に入射させる光源１８０とを備える発光装置２００の構成例を示す図である。
【図１７】励起光を擬似導波モードに結合させることで、効率よく光を出射させる構成を説明するための図であり、（ａ）はｘ方向の周期ｐxを有する１次元周期構造を示し、（ｂ）はｘ方向の周期ｐx、ｙ方向の周期ｐyを有する２次元周期構造を示し、（ｃ）は（ａ）の構成における光の吸収率の波長依存性を示し、（ｄ）は（ｂ）の構成における光の吸収率の波長依存性を示している。
【図１８Ａ】２次元周期構造の一例を示す図である。
【図１８Ｂ】２次元周期構造の他の例を示す図である。
【図１９Ａ】透明基板上に周期構造を形成した変形例を示す図である。
【図１９Ｂ】透明基板上に周期構造を形成した他の変形例を示す図である。
【図１９Ｃ】図１９Ａの構成において、発光波長および周期構造の周期を変えて正面方向に出力する光の増強度を計算した結果を示す図である。
【図２０】複数の粉末状の発光素子を混ぜた構成を示す図である。
【図２１】フォトルミネッセンス層の上に周期の異なる複数の周期構造を２次元に配列した例を示す平面図である。
【図２２】表面に凹凸構造が形成された複数のフォトルミネッセンス層１１０が積層された構造を有する発光素子の一例を示す図である。
【図２３】フォトルミネッセンス層１１０と周期構造１２０との間に保護層１５０を設けた構成例を示す断面図である。
【図２４】フォトルミネッセンス層１１０の一部のみを加工することによって周期構造１２０を形成した例を示す図である。
【図２５】周期構造を有するガラス基板上に形成されたフォトルミネッセンス層の断面ＴＥＭ像を示す図である。
【図２６】試作した発光素子の出射光の正面方向のスペクトルを測定した結果を示すグラフである。
【図２７】（ａ）および（ｂ）は、試作した発光素子の出射光の角度依存性を測定した結果（上段）および計算結果（下段）を示すグラフである。
【図２８】（ａ）および（ｂ）は、試作した発光素子の出射光の角度依存性を測定した結果（上段）および計算結果（下段）を示すグラフである。
【図２９】試作した発光素子の出射光（波長６１０ｎｍ）の角度依存性を測定した結果を示すグラフである。
【図３０】スラブ型導波路の一例を模式的に示す斜視図である。
【図３１】（ａ）は、発光装置３００の模式的な断面図であり、（ｂ）は、発光装置３０１の模式的な断面図であり、（ｃ）は、発光装置３０２の模式的な断面図である。
【図３２】（ａ）は、ボトムエミッション型のＬＥＤの構造を模式的に示す断面図であり、（ｂ）は、トップエミッション型のＬＥＤの構造を模式的に示す断面図である。
【図３３】（ａ）は、発光装置３１０の模式的な断面図であり、（ｂ）は、発光装置３１１の模式的な断面図であり、（ｃ）は、発光装置３１２の模式的な断面図である。
【図３４】（ａ）は、発光装置３１３の模式的な断面図であり、（ｂ）は、発光装置３１４の模式的な断面図であり、（ｃ）は、発光装置３１５の模式的な断面図である。
【図３５】発光装置３１６の模式的な断面図である。
【図３６】（ａ）は、端面発光レーザの構造を説明するための模式図であり、（ｂ）は、面発光レーザの構造を説明するための模式図である。
【図３７】（ａ）は、発光装置３１７の模式的な断面図であり、（ｂ）は、発光装置３１８の模式的な断面図である。
【図３８】発光装置３２０の模式的な断面図である。
【発明を実施するための形態】
【００１０】
本開示は、以下の項目に記載の発光素子および発光装置を含む。
［項目１］
フォトルミネッセンス層と、
前記フォトルミネッセンス層に近接して配置された透光層と、
前記フォトルミネッセンス層および前記透光層の少なくとも一方に形成され、前記フォトルミネッセンス層または前記透光層の面内に広がるサブミクロン構造と、を有し、
前記サブミクロン構造は、複数の凸部または複数の凹部を含み、
前記フォトルミネッセンス層が発する光は、空気中の波長がλaの第１の光を含み、
隣接する凸部間または凹部間の距離をＤintとし、前記第１の光に対する前記フォトルミネッセンス層の屈折率をｎwav-aとすると、λa／ｎwav-a＜Ｄint＜λaの関係が成り立つ、発光素子。
［項目２］
前記サブミクロン構造は、前記複数の凸部または前記複数の凹部によって形成された少なくとも１つの周期構造を含み、前記少なくとも１つの周期構造は、周期をｐaとすると、λa／ｎwav-a＜ｐa＜λaの関係が成り立つ第１周期構造を含む、項目１に記載の発光素子。
［項目３］
前記第１の光に対する前記透光層の屈折率ｎt-aは、前記第１の光に対する前記フォトルミネッセンス層の屈折率ｎwav-aよりも小さい、項目１または２に記載の発光素子。
［項目４］
前記第１の光は、前記サブミクロン構造によって予め決められた第１の方向において強度が最大になる、項目１から３のいずれかに記載の発光素子。
［項目５］
前記第１の方向は、前記フォトルミネッセンス層の法線方向である、項目４に記載の発光素子。
［項目６］
前記第１の方向に出射された前記第１の光は、直線偏光である、項目４または５に記載の発光素子。
［項目７］
前記第１の光の前記第１の方向を基準としたときの指向角は、１５°未満である、項目４から６のいずれかに記載の発光素子。
［項目８］
前記第１の光の波長λaと異なる波長λbを有する第２の光は、前記第１の方向と異なる第２の方向において強度が最大となる、項目４から７のいずれかに記載の発光素子。
［項目９］
前記透光層が前記サブミクロン構造を有する、項目１から８のいずれかに記載の発光素子。
［項目１０］
前記フォトルミネッセンス層が前記サブミクロン構造を有する、項目１から９のいずれかに記載の発光素子。
［項目１１］
前記フォトルミネッセンス層は、平坦な主面を有し、
前記透光層は前記フォトルミネッセンス層の前記平坦な主面上に形成されており、かつ、前記サブミクロン構造を有する、項目１から８のいずれかに記載の発光素子。
［項目１２］
前記フォトルミネッセンス層は、透明基板に支持されている、項目１１に記載の発光素子。
［項目１３］
前記透光層は、前記サブミクロン構造を一方の主面に有する透明基板であって、
前記フォトルミネッセンス層は、前記サブミクロン構造の上に形成されている、項目１から８のいずれかに記載の発光素子。
［項目１４］
前記第１の光に対する前記透光層の屈折率ｎt-aは、前記第１の光に対する前記フォトルミネッセンス層の屈折率ｎwav-a以上であって、前記サブミクロン構造が有する前記複数の凸部の高さまたは前記複数の凹部の深さは１５０ｎｍ以下である、項目１または２に記載の発光素子。
［項目１５］
前記サブミクロン構造は、前記複数の凸部または前記複数の凹部によって形成された少なくとも１つの周期構造を含み、前記少なくとも１つの周期構造は、周期をｐaとすると、λa／ｎwav-a＜ｐa＜λaの関係が成り立つ第１周期構造を含み、
前記第１周期構造は、１次元周期構造である、項目１および３から１４のいずれかに記載の発光素子。
［項目１６］
前記フォトルミネッセンス層が発する光は、空気中の波長がλaと異なるλbの第２の光を含み、前記第２の光に対する前記フォトルミネッセンス層の屈折率をｎwav-bとするとき、
前記少なくとも１つの周期構造は、周期をｐbとすると、λb／ｎwav-b＜ｐb＜λbの関
係が成り立つ第２周期構造をさらに含み、
前記第２周期構造は、１次元周期構造である、項目１５に記載の発光素子。
［項目１７］
前記サブミクロン構造は、前記複数の凸部または前記複数の凹部によって形成された少なくとも２つの周期構造を含み、前記少なくとも２つの周期構造は、互いに異なる方向に周期性を有する２次元周期構造を含む、項目１および３から１４のいずれかに記載の発光素子。
［項目１８］
前記サブミクロン構造は、前記複数の凸部または前記複数の凹部によって形成された複数の周期構造を含み、
前記複数の周期構造は、マトリクス状に配列された複数の周期構造を含む、項目１および３から１４のいずれかに記載の発光素子。
［項目１９］
前記サブミクロン構造は、前記複数の凸部または前記複数の凹部によって形成された複数の周期構造を含み、
前記フォトルミネッセンス層が有するフォトルミネッセンス材料の励起光の空気中における波長をλexとし、前記励起光に対する前記フォトルミネッセンス層の屈折率をｎwav-exとすると、
前記複数の周期構造は、周期ｐexが、λex／ｎwav-ex＜ｐex＜λexの関係が成り立つ周期構造を含む、項目１および３から１４のいずれかに記載の発光素子。
［項目２０］
複数のフォトルミネッセンス層と、複数の透光層とを有し、
前記複数のフォトルミネッセンス層の少なくとも２つと前記複数の透光層の少なくとも２つとは、それぞれ独立に、項目１から１９のいずれかに記載の前記フォトルミネッセンス層と前記透光層とにそれぞれ該当する、発光素子。
［項目２１］
前記複数のフォトルミネッセンス層と前記複数の透光層は、積層されている、項目２０に記載の発光素子。
［項目２２］
フォトルミネッセンス層と、
前記フォトルミネッセンス層に近接して配置された透光層と、
前記フォトルミネッセンス層および前記透光層の少なくとも一方に形成され、前記フォトルミネッセンス層または前記透光層の面内に広がるサブミクロン構造と、を有し、
前記フォトルミネッセンス層および前記透光層の内部に擬似導波モードを形成する光を出射する、発光素子。
［項目２３］
光が導波することができる導波層と、
前記導波層に近接して配置された周期構造と
を備え、
前記導波層はフォトルミネッセンス材料を有し、
前記導波層において、前記フォトルミネッセンス材料から発せられた光が前記周期構造と作用しながら導波する擬似導波モードが存在する、発光素子。
［項目２４］
フォトルミネッセンス層と、
前記フォトルミネッセンス層に近接して配置された透光層と、
前記フォトルミネッセンス層および前記透光層の少なくとも一方に形成され、前記フォトルミネッセンス層または前記透光層の面内に広がるサブミクロン構造と、を有し、
前記サブミクロン構造は、複数の凸部または複数の凹部を含み、
隣接する凸部間または凹部間の距離をＤintとし、前記フォトルミネッセンス層が有するフォトルミネッセンス材料の励起光の空気中における波長をλexとし、前記励起光に対する前記フォトルミネッセンス層または前記透光層に至る光路に存在する媒質の内で最も屈折率が大きい媒質の屈折率をｎwav-exとすると、λex／ｎwav-ex＜Ｄint＜λexの関係が成り立つ、発光素子。
［項目２５］
前記サブミクロン構造は、前記複数の凸部または前記複数の凹部によって形成された少なくとも１つの周期構造を含み、前記少なくとも１つの周期構造は、周期をｐexとすると、λex／ｎwav-ex＜ｐex＜λexの関係が成り立つ第１周期構造を含む、項目２４に記載の発光素子。
［項目２６］
透光層と、
前記透光層に形成され、前記透光層の面内に広がるサブミクロン構造と、
前記サブミクロン構造に近接して配置されたフォトルミネッセンス層と、を有し、
前記サブミクロン構造は、複数の凸部または複数の凹部を含み、
前記フォトルミネッセンス層が発する光は、空気中の波長がλaの第１の光を含み、
前記サブミクロン構造は、前記複数の凸部または前記複数の凹部によって形成された少なくとも１つの周期構造を含み、
前記第１の光に対する前記フォトルミネッセンス層の屈折率をｎwav-aとし、前記少なくとも１つの周期構造の周期をｐaとすると、λa／ｎwav-a＜ｐa＜λaの関係が成り立つ、発光素子。
［項目２７］
フォトルミネッセンス層と、
前記フォトルミネッセンス層よりも高い屈折率を有する透光層と、
前記透光層に形成され、前記透光層の面内に広がるサブミクロン構造と、を有し、
前記サブミクロン構造は、複数の凸部または複数の凹部を含み、
前記フォトルミネッセンス層が発する光は、空気中の波長がλaの第１の光を含み、
前記サブミクロン構造は、前記複数の凸部または前記複数の凹部によって形成された少なくとも１つの周期構造を含み、
前記第１の光に対する前記フォトルミネッセンス層の屈折率をｎwav-aとし、前記少なくとも１つの周期構造の周期をｐaとすると、λa／ｎwav-a＜ｐa＜λaの関係が成り立つ、発光素子。
［項目２８］
フォトルミネッセンス層と、
前記フォトルミネッセンス層に形成され、前記フォトルミネッセンス層の面内に広がるサブミクロン構造と、を有し、
前記サブミクロン構造は、複数の凸部または複数の凹部を含み、
前記フォトルミネッセンス層が発する光は、空気中の波長がλaの第１の光を含み、
前記サブミクロン構造は、前記複数の凸部または前記複数の凹部によって形成された少なくとも１つの周期構造を含み、
前記第１の光に対する前記フォトルミネッセンス層の屈折率をｎwav-aとし、前記少なくとも１つの周期構造の周期をｐaとすると、λa／ｎwav-a＜ｐa＜λaの関係が成り立つ、発光素子。
［項目２９］
前記サブミクロン構造は、前記複数の凸部と前記複数の凹部との双方を含む、項目１から２１、２４から２８のいずれかに記載の発光素子。
［項目３０］
前記フォトルミネッセンス層と前記透光層とが互いに接している、項目１から２２、２４から２７のいずれかに記載の発光素子。
［項目３１］
前記導波層と前記周期構造とが互いに接している、項目２３に記載の発光素子。
［項目３２］
項目１から３１のいずれかに記載の発光素子と、
前記フォトルミネッセンス層に励起光を照射する、励起光源と、
を備える発光装置。
［項目３３］
発光素子と、励起光源素子とを備え、
前記発光素子は、
フォトルミネッセンス層と、
前記フォトルミネッセンス層に近接して配置された透光層と、
前記フォトルミネッセンス層および前記透光層の少なくとも一方に形成され、前記フォトルミネッセンス層または前記透光層の面内に広がるサブミクロン構造と、を有し、
前記サブミクロン構造は、複数の凸部または複数の凹部を含み、
前記フォトルミネッセンス層が発する光は、空気中の波長がλaの第１の光を含み、
隣接する凸部間または凹部間の距離をＤintとし、前記第１の光に対する前記フォトルミネッセンス層の屈折率をｎwav-aとすると、λa／ｎwav-a＜Ｄint＜λaの関係が成り立ち、
前記励起光源素子は、前記フォトルミネッセンス層に導入される励起光を発し、
前記発光素子と前記励起光源素子とが一体的に形成されている、発光装置。
［項目３４］
前記サブミクロン構造は、前記複数の凸部または前記複数の凹部によって形成された少なくとも１つの周期構造を含み、前記少なくとも１つの周期構造は、周期をｐaとすると、λa／ｎwav-a＜ｐa＜λaの関係が成り立つ第１周期構造を含む、項目３３に記載の発光装置。
［項目３５］
前記発光素子は、前記フォトルミネッセンス層および前記透光層と、前記励起光源素子との間に、低屈折率層をさらに有し、
前記低屈折率層の前記第１の光に対する屈折率は、前記フォトルミネッセンス層の前記第１の光に対する屈折率よりも小さい、項目３３または３４に記載の発光装置。
［項目３６］
前記低屈折率層は、前記励起光源素子側に、複数の第２の凸部を有する、項目３５に記載の発光装置。
［項目３７］
前記励起光源素子の出射面は、前記フォトルミネッセンス層または前記透光層と直接接する、項目３３または３４に記載の発光装置。
［項目３８］
前記励起光源素子の出射面は、前記低屈折率層と直接接する、項目３５または３６に記載の発光装置。
［項目３９］
前記発光素子は、前記フォトルミネッセンス層を透過した光を選択的に反射する選択反射層をさらに有する、項目３３から３８のいずれかに記載の発光装置。
［項目４０］
発光素子と、励起光源素子とを備え、
前記発光素子は、
透光層と、
前記透光層に形成され、前記透光層の面内に広がるサブミクロン構造と、
前記サブミクロン構造に近接して配置され、励起光を受けて発光するフォトルミネッセンス層と、を有し、
前記サブミクロン構造は、複数の凸部または複数の凹部を含み、
前記フォトルミネッセンス層が発する光は、空気中の波長がλaの第１の光を含み、
前記サブミクロン構造は、前記複数の凸部または前記複数の凹部によって形成された少なくとも１つの周期構造を含み、前記第１の光に対する前記フォトルミネッセンス層の屈折率をｎwav-aとし、前記少なくとも１つの周期構造の周期をｐaとすると、λa／ｎwav-a＜ｐa＜λaの関係が成り立ち、
前記励起光源素子は、前記フォトルミネッセンス層に導入される励起光を発し、
前記発光素子と前記励起光源素子とが一体的に形成されている、発光装置。
［項目４１］
発光素子と、励起光源素子とを備え、
前記発光素子は、
励起光を受けて発光するフォトルミネッセンス層と、
前記フォトルミネッセンス層よりも高屈折率を有する透光層と、
前記透光層に形成され、前記透光層の面内に広がるサブミクロン構造と、を有し、
前記サブミクロン構造は、複数の凸部または複数の凹部を含み、
前記フォトルミネッセンス層が発する光は、空気中の波長がλaの第１の光を含み、
前記サブミクロン構造は、前記複数の凸部または前記複数の凹部によって形成された少なくとも１つの周期構造を含み、前記第１の光に対する前記フォトルミネッセンス層の屈折率をｎwav-aとし、前記少なくとも１つの周期構造の周期をｐaとすると、λa／ｎwav-a＜ｐa＜λaの関係が成り立ち、
前記励起光源素子は、前記フォトルミネッセンス層に導入される励起光を発し、
前記発光素子と前記励起光源素子とが一体的に形成されている、発光装置。
［項目４２］
前記フォトルミネッセンス層と前記透光層とが互いに接している、項目３３から４１のいずれかに記載の発光装置。
［項目４３］
発光素子と、励起光源素子とを備え、
前記発光素子は、
励起光を受けて発光するフォトルミネッセンス層と、
前記フォトルミネッセンス層に形成され、前記フォトルミネッセンス層の面内に広がるサブミクロン構造と、を有し、
前記サブミクロン構造は、複数の凸部または複数の凹部を含み、
前記フォトルミネッセンス層が発する光は、空気中の波長がλaの第１の光を含み、
前記サブミクロン構造は、前記複数の凸部または前記複数の凹部によって形成された少なくとも１つの周期構造を含み、
前記第１の光に対する前記フォトルミネッセンス層の屈折率をｎwav-aとし、前記少なくとも１つの周期構造の周期をｐaとすると、λa／ｎwav-a＜ｐa＜λaの関係が成り立ち、
前記励起光源素子は、前記フォトルミネッセンス層に導入される励起光を発し、
前記発光素子と前記励起光源素子とが一体的に形成されている、発光装置。
［項目４４］
前記サブミクロン構造は、前記複数の凸部と前記複数の凹部との双方を含む、項目３３から４３のいずれかに記載の発光装置。
【００１１】
本開示の実施形態による発光素子は、フォトルミネッセンス層と、前記フォトルミネッセンス層に近接して配置された透光層と、前記フォトルミネッセンス層および前記透光層の少なくとも一方に形成され、前記フォトルミネッセンス層または前記透光層の面内に広がるサブミクロン構造とを有し、前記サブミクロン構造は、複数の凸部または複数の凹部を含み、隣接する凸部間または凹部間の距離をＤintとし、前記フォトルミネッセンス層が発する光は、空気中の波長がλaの第１の光を含み、前記第１の光に対する前記フォトルミネッセンス層の屈折率をｎwav-aとすると、λa／ｎwav-a＜Ｄint＜λaの関係が成り立つ。波長λaは、例えば、可視光の波長範囲内（例えば、３８０ｎｍ以上７８０ｎｍ以下）にある。
【００１２】
フォトルミネッセンス層は、フォトルミネッセンス材料を含む。フォトルミネッセンス材料は、励起光を受けて発光する材料を意味する。フォトルミネッセンス材料は、狭義の蛍光材料および燐光材料を包含し、無機材料だけなく、有機材料（例えば色素）を包含し、さらには、量子ドット（即ち、半導体微粒子）を包含する。フォトルミネッセンス層は、フォトルミネッセンス材料に加えて、マトリクス材料（即ち、ホスト材料）を含んでもよい。マトリクス材料は、例えば、ガラスや酸化物などの無機材料や樹脂である。
【００１３】
フォトルミネッセンス層に近接して配置される透光層は、フォトルミネッセンス層が発する光に対して透過率が高い材料で形成され、例えば、無機材料や樹脂で形成される。透光層は、例えば誘電体（特に、光の吸収が少ない絶縁体）で形成されていることが望ましい。透光層は、例えば、フォトルミネッセンス層を支持する基板であってよい。また、フォトルミネッセンス層の空気側の表面がサブミクロン構造を有する場合、空気層が透光層となり得る。
【００１４】
本開示の実施形態による発光素子においては、後に計算結果および実験結果を参照して詳述するように、フォトルミネッセンス層および透光層の少なくとも一方に形成されたサブミクロン構造（例えば、周期構造）によって、フォトルミネッセンス層および透光層の内部に、ユニークな電場分布を形成する。これは、導波光がサブミクロン構造と相互作用して形成されるものであり、擬似導波モードと表現することもできる。この擬似導波モードを活用することで、以下で説明するように、フォトルミネッセンスの発光効率の増大、指向性の向上、偏光の選択性の効果を得ることができる。なお、以下の説明において、擬似導波モードという用語を使って、本発明者らが見出した、新規な構成および／または新規なメカニズムを説明することがあるが、１つの例示的な説明に過ぎず、本開示をいかなる意味においても限定するものではない。
【００１５】
サブミクロン構造は、例えば複数の凸部を含み、隣接する凸部間の距離（即ち、中心間距離）をＤintとすると、λa／ｎwav-a＜Ｄint＜λaの関係を満足する。サブミクロン構造は、複数の凸部に代えて複数の凹部を含んでもよい。以下では、簡単のために、サブミクロン構造が複数の凸部を有する場合を説明する。λは光の波長を表し、λaは空気中での光の波長であることを表現する。ｎwavはフォトルミネッセンス層の屈折率である。フォトルミネッセンス層が複数の材料を混合した媒質である場合、各材料の屈折率をそれぞれの体積比率で重み付けした平均屈折率をｎwavとする。一般に屈折率ｎは波長に依存するので、λaの光に対する屈折率であることをｎwav-aと明示することが望ましいが、簡単のために省略することがある。ｎwavは基本的にフォトルミネッセンス層の屈折率であるが、フォトルミネッセンス層に隣接する層の屈折率がフォトルミネッセンス層の屈折率よりも大きい場合、当該屈折率が大きい層の屈折率およびフォトルミネッセンス層の屈折率をそれぞれの体積比率で重み付けした平均屈折率をｎwavとする。この場合は、光学的には、フォトルミネッセンス層が複数の異なる材料の層で構成されている場合と等価であるからである。
【００１６】
擬似導波モードの光に対する媒質の有効屈折率をｎeffとすると、ｎa＜ｎeff＜ｎwavを満たす。ここで、ｎaは空気の屈折率である。擬似導波モードの光を、フォトルミネッセンス層の内部を入射角θで全反射しながら伝搬する光であると考えると、有効屈折率ｎeffは、ｎeff＝ｎwavｓｉｎθと書ける。また、有効屈折率ｎeffは、擬似導波モードの電場が分布する領域に存在する媒質の屈折率によって決まるので、例えば、サブミクロン構造が透光層に形成されている場合、フォトルミネッセンス層の屈折率だけでなく、透光層の屈折率にも依存する。また、擬似導波モードの偏光方向（ＴＥモードとＴＭモード）により、電場の分布は異なるので、ＴＥモードとＴＭモードとでは有効屈折率ｎeffは異なり得る。
【００１７】
サブミクロン構造は、フォトルミネッセンス層および透光層の少なくとも一方に形成される。フォトルミネッセンス層と透光層とが互いに接するとき、フォトルミネッセンス層と透光層との界面にサブミクロン構造が形成されてもよい。このとき、フォトルミネッセンス層および透光層がサブミクロン構造を有する。フォトルミネッセンス層はサブミクロン構造を有さなくてもよい。このとき、サブミクロン構造を有する透光層がフォトルミネッセンス層に近接して配置される。ここで、透光層（またはそのサブミクロン構造）がフォトルミネッセンス層に近接するとは、典型的には、これらの間の距離が、波長λaの半分以下であることをいう。これにより、導波モードの電場がサブミクロン構造に到達し、擬似導波モードが形成される。ただし、透光層の屈折率がフォトルミネッセンス層の屈折率よりも大きいときには上記の関係を満足しなくても透光層まで光が到達するため、透光層のサブミクロン構造とフォトルミネッセンス層との間の距離は、波長λaの半分超であってもよい。本明細書では、フォトルミネッセンス層と透光層とが、導波モードの電場がサブミクロン構造に到達し、擬似導波モードが形成されるような配置関係にあるとき、両者が互いに関連付けられていると表現することがある。
【００１８】
サブミクロン構造は、上記のように、λa／ｎwav-a＜Ｄint＜λaの関係を満足するので、サブミクロンオーダーの大きさで特徴づけられる。サブミクロン構造は、例えば、以下に詳細に説明する実施形態の発光素子におけるように、少なくとも１つの周期構造を含む。少なくとも１つの周期構造は、周期をｐaとすると、λa／ｎwav-a＜ｐa＜λaの関係が成り立つ。すなわち、サブミクロン構造は、隣接する凸部間の距離Ｄintがｐaで一定の周期構造を有する。サブミクロン構造が周期構造を含むと、擬似導波モードの光は、伝搬しながら周期構造と相互作用を繰り返すことにより、サブミクロン構造によって回折される。これは、自由空間を伝播する光が周期構造により回折する現象とは異なり、光が導波しながら（即ち、全反射を繰り返しながら）周期構造と作用する現象である。したがって、周期構造による位相シフトが小さくても（即ち、周期構造の高さが小さくても）効率よく光の回折を起こすことができる。
【００１９】
以上のようなメカニズムを利用すれば、擬似導波モードにより電場が増強される効果によって、フォトルミネッセンスの発光効率が増大するとともに、発生した光が擬似導波モードに結合する。擬似導波モードの光は、周期構造で規定される回折角度だけ進行角度が曲げられる。これを利用することによって、特定の波長の光を特定の方向に出射することができる（指向性が顕著に向上）。さらに、ＴＥとＴＭモードで有効屈折率ｎeff（＝ｎwavｓｉｎθ）が異なるので、高い偏光の選択性を同時に得ることもできる。例えば、後に実験例を示すように、特定の波長（例えば６１０ｎｍ）の直線偏光（例えばＴＭモード）を正面方向に強く出射する発光素子を得ることができる。このとき、正面方向に出射される光の指向角は例えば１５°未満である。なお、指向角は正面方向を０°とした片側の角度とする。
【００２０】
逆に、サブミクロン構造の周期性が低くなると、指向性、発光効率、偏光度および波長選択性が弱くなる。必要に応じて、サブミクロン構造の周期性を調整すればよい。周期構造は、偏光の選択性が高い１次元周期構造であってもよいし、偏光度を小さくできる２次元周期構造であってもよい。
【００２１】
また、サブミクロン構造は、複数の周期構造を含み得る。複数の周期構造は、例えば、周期（ピッチ）が互いに異なる。あるいは、複数の周期構造は、例えば、周期性を有する方向（軸）が互いに異なる。複数の周期構造は、同一面内に形成されてもよいし、積層されてもよい。もちろん、発光素子は、複数のフォトルミネッセンス層と複数の透光層とを有し、これらが複数のサブミクロン構造を有してもよい。
【００２２】
サブミクロン構造は、フォトルミネッセンス層が発する光を制御するためだけでなく、励起光を効率よくフォトルミネッセンス層に導くためにも用いることができる。すなわち、励起光がサブミクロン構造により回折されフォトルミネッセンス層および透光層を導波する擬似導波モードに結合することで、効率よくフォトルミネッセンス層を励起することができる。フォトルミネッセンス材料を励起する光の空気中における波長をλexとし、この励起光に対するフォトルミネッセンス層の屈折率をｎwav-exとすると、λex／ｎwav-ex＜Ｄint＜λexの関係が成り立つサブミクロン構造を用いればよい。ｎwav-exはフォトルミネッセンス材料の励起波長における屈折率である。周期をｐexとすると、λex／ｎwav-ex＜ｐex＜λexの関係が成り立つ周期構造を有するサブミクロン構造を用いてもよい。励起光の波長λexは、例えば、４５０ｎｍであるが、可視光よりも短波長であってもよい。励起光の波長が可視光の範囲内にある場合、フォトルミネッセンス層が発する光とともに、励起光を出射するようにしてもよい。
【００２３】
［１．本開示の基礎となった知見］
本開示の具体的な実施形態を説明する前に、まず、本開示の基礎となった知見を説明する。上述のように、蛍光灯、白色ＬＥＤなどで使われるフォトルミネッセンス材料は等方的に発光するので、特定の方向を光で照らすためには、リフレクターやレンズなどの光学部品が必要である。しかしながら、もしフォトルミネッセンス層自身が指向性をもって発光すれば、上記のような光学部品は不要になるので（若しくは小さくできるので）、光学デバイスや器具の大きさを大幅に小さくすることができる。本発明者らは、このような着想に基づき、指向性発光を得るために、フォトルミネッセンス層の構成を詳細に検討した。
【００２４】
本発明者らは、まず、フォトルミネッセンス層からの光が特定の方向に偏るようにするため、発光自体に特定の方向性をもたせることを考えた。発光を特徴付ける指標である発光レートΓは、フェルミの黄金則により、以下の式（１）で表される。
【数１】
2016034017.tif 000003
【００２５】
式（１）において、ｒは位置を表すベクトル、λは光の波長、ｄは双極子ベクトル、Ｅは電場ベクトル、ρは状態密度である。一部の結晶性物質を除く多くの物質では、双極子ベクトルｄはランダムな方向性を有している。また、フォトルミネッセンス層のサイズと厚さが光の波長よりも十分に大きい場合、電場Ｅの大きさも向きに依らずほとんど一定である。よって、ほとんどの場合、＜（ｄ・Ｅ（ｒ））＞2の値は方向に依らない。即ち、発光レートΓは方向に依らず一定である。このため、ほとんどの場合においてフォトルミネッセンス層は等方的に発光する。
【００２６】
一方、式（１）から、異方的な発光を得るためには、双極子ベクトルｄを特定の方向に揃えるか、電場ベクトルの特定方向の成分を増強するかのいずれかの工夫が必要である。これらのいずれかの工夫を行うことで、指向性発光を実現できる。本開示では、フォトルミネッセンス層へ光を閉じ込める効果により、特定方向の電場成分が増強された擬似導波モードを利用するための構成について検討し、詳細に分析した結果を以下に説明する。
【００２７】
［２．特定の方向の電場のみを強くする構成］
本願発明者らは、電場が強い導波モードを用いて、発光の制御を行うことを考えた。導波構造自体がフォトルミネッセンス材料を含む構成とすることで、発光を導波モードに結合させることができる。しかし、ただ単にフォトルミネッセンス材料を用いて導波構造を形成しただけでは、発せられた光が導波モードとなるため、正面方向へはほとんど光は出てこない。そこで、フォトルミネッセンス材料を含む導波路と周期構造（複数の凸部および複数の凹部の少なくとも一方で形成された）とを組み合わせることを考えた。導波路に周期構造が近接し、光の電場が周期構造と重なりながら導波する場合、周期構造の作用により擬似導波モードが存在する。つまり、この擬似導波モードは、周期構造により制限された導波モードであり、電場振幅の腹が周期構造の周期と同じ周期で発生することを特徴とする。このモードは、光が導波構造に閉じ込められることにより特定方向への電場が強められたモードである。さらに、このモードは周期構造と相互作用することで、回折効果により特定方向の伝播光へと変換されるため、導波路外部へと光を出射することができる。さらに、擬似導波モード以外の光は導波路内に閉じ込められる効果が小さいため、電場は増強されない。よって、発光のほとんどは大きな電場成分を有する擬似導波モードへと結合することになる。
【００２８】
つまり、本願発明者らは、周期構造が近接して設けられた導波路を、フォトルミネッセンス材料を含むフォトルミネッセンス層（あるいはフォトルミネッセンス層を有する導波層）とすることで、発光を特定方向の伝播光へと変換される擬似導波モードへ結合させ、指向性のある光源を実現することを考えた。
【００２９】
導波構造の簡便な構成として、スラブ型導波路に着目した。スラブ型導波路とは、光の導波部分が平板構造を有する導波路のことである。図３０は、スラブ型導波路１１０Ｓの一例を模式的に示す斜視図である。導波路１１０Ｓの屈折率が導波路１１０Ｓを支持する透明基板１４０の屈折率よりも高いとき、導波路１１０Ｓ内を伝播する光のモードが存在する。このようなスラブ型導波路をフォトルミネッセンス層を含む構成とすることで、発光点から生じた光の電場が導波モードの電場と大きく重なりをもつので、フォトルミネッセンス層で生じた光の大部分を導波モードに結合させることができる。さらに、フォトルミネッセンス層の厚さを光の波長程度とすることにより、電場振幅の大きい導波モードのみが存在する状況を作り出すことができる。
【００３０】
さらに、フォトルミネッセンス層に周期構造が近接する場合には、導波モードの電場が周期構造と相互作用することで擬似導波モードが形成される。フォトルミネッセンス層が複数の層で構成されている場合でも、導波モードの電場が周期構造に達していれば、擬似導波モードが形成されることになる。フォトルミネッセンス層の全てがフォトルミネッセンス材料である必要はなく、その少なくとも一部の領域が発光する機能を有していればよい。
【００３１】
また、周期構造を金属で形成した場合には、導波モードとプラズモン共鳴の効果によるモードが形成され、上で述べた擬似導波モードとは異なる性質となる。また、このモードは金属による吸収が大きいためロスが大きくなり、発光増強の効果は小さくなる。したがって、周期構造としては、吸収の少ない誘電体を用いるのが望ましい。
【００３２】
本発明者らは、まずこのような導波路（例えば、フォトルミネッセンス層）の表面に、周期構造を形成することで、特定の角度方向の伝播光として出射することのできる擬似導波モードに発光を結合させることについて検討を行った。図１Ａは、そのような導波路（例えば、フォトルミネッセンス層）１１０と周期構造（例えば、透光層）１２０とを有する発光素子１００の一例を模式的に示す斜視図である。以下、透光層１２０が周期構造を形成している場合（即ち、透光層１２０に周期的なサブミクロン構造が形成されている場合）、透光層１２０を周期構造１２０ということがある。この例では、周期構造１２０は、各々がｙ方向に延びるストライプ状の複数の凸部がｘ方向に等間隔に並んだ１次元周期構造である。図１Ｂは、この発光素子１００をｘｚ面に平行な平面で切断したときの断面図である。導波路１１０に接するように周期ｐの周期構造１２０を設けると、面内方向の波数ｋwavをもつ擬似導波モードは、導波路外の伝播光へと変換され、その波数ｋoutは以下の式（２）で表すことができる。
【数２】
2016034017.tif 000004
式（２）におけるｍは整数であり、回折の次数を表す。
【００３３】
ここで、簡単のため、近似的に導波路内を導波する光を角度θwavで伝播する光線であると考え、以下の式（３）および（４）が成立するとする。
【数３】
2016034017.tif 000005
【数４】
2016034017.tif 000006
【００３４】
これらの式において、λ0は光の空気中の波長、ｎwavは導波路の屈折率、ｎoutは出射側の媒質の屈折率、θoutは光が導波路外の基板または空気に出射するときの出射角度である。式（２）〜（４）から、出射角度θoutは、以下の式（５）で表すことができる。
【数５】
2016034017.tif 000007
【００３５】
式（５）より、ｎwavｓｉｎθwav＝ｍλ0／ｐが成立するとき、θout＝０となり、導波路の面に垂直な方向（即ち、正面）に光を出射させることができることがわかる。
【００３６】
以上のような原理に基づけば、発光を特定の擬似導波モードに結合させ、さらに周期構造を利用して特定の出射角度の光に変換することにより、その方向に強い光を出射させることができると考えられる。
【００３７】
上記のような状況を実現するためには、いくつかの制約条件がある。まず、擬似導波モードが存在するためには、導波路内で伝播する光が全反射することが必要である。このための条件は、以下の式（６）で表される。
【数６】
2016034017.tif 000008
【００３８】
この擬似導波モードを周期構造によって回折させて導波路外に光を出射させるためには、式（５）において−１＜ｓｉｎθout＜１である必要がある。よって、以下の式（７）を満足する必要がある。
【数７】
2016034017.tif 000009
【００３９】
これに対し、式（６）を考慮すると、以下の式（８）が成立すればよいことがわかる。
【数８】
2016034017.tif 000010
【００４０】
さらに、導波路１１０から出射される光の方向を正面方向（θout＝０）にするためには、式（５）から、以下の式（９）が必要であることがわかる。
【数９】
2016034017.tif 000011
【００４１】
式（９）および式（６）から、必要な条件は、以下の式（１０）であることがわかる。
【数１０】
2016034017.tif 000012
【００４２】
なお、図１Ａおよび図１Ｂに示すような周期構造を設けた場合には、ｍが２以上の高次の回折効率は低いため、ｍ＝１である１次の回折光を主眼に設計すると良い。このため、本実施形態における周期構造では、ｍ＝１として、式（１０）を変形した以下の式（１１）を満足するように周期ｐが決定される。
【数１１】
2016034017.tif 000013
【００４３】
図１Ａおよび図１Ｂに示すように、導波路（フォトルミネッセンス層）１１０が透明基板に接していない場合には、ｎoutは空気の屈折率（約１．０）となるため、以下の式（１２）を満足するように周期ｐを決定すればよい。
【数１２】
2016034017.tif 000014
【００４４】
一方、図１Ｃおよび図１Ｄに例示するような透明基板１４０上にフォトルミネッセンス層１１０および周期構造１２０を形成した構造を採用してもよい。この場合には、透明基板１４０の屈折率ｎsが空気の屈折率よりも大きいことから、式（１１）においてｎout＝ｎsとした次式（１３）を満足するように周期ｐを決定すればよい。
【数１３】
2016034017.tif 000015
【００４５】
なお、式（１２）、（１３）では、式（１０）においてｍ＝１の場合を想定したが、ｍ≧２であってもよい。すなわち、図１Ａおよび図１Ｂに示すように発光素子１００の両面が空気層に接している場合には、ｍを１以上の整数として、以下の式（１４）を満足するように周期ｐが設定されていればよい。
【数１４】
2016034017.tif 000016
【００４６】
同様に、図１Ｃおよび図１Ｄに示す発光素子１００ａのようにフォトルミネッセンス層１１０が透明基板１４０上に形成されている場合には、以下の式（１５）を満足するように周期ｐが設定されていればよい。
【数１５】
2016034017.tif 000017
【００４７】
以上の不等式を満足するように周期構造の周期ｐを決定することにより、フォトルミネッセンス層１１０から発生した光を正面方向に出射させることができるため、指向性を有する発光装置を実現できる。
【００４８】
［３．計算による検証］
［３−１．周期、波長依存性］
本発明者らは、以上のような特定方向への光の出射が実際に可能であるかを光学解析によって検証した。光学解析は、サイバネット社のDiffractMODを用いた計算によって行った。これらの計算では、発光素子に対して外部から垂直に光を入射したときに、フォトルミネッセンス層における光の吸収の増減を計算することで、外部へ垂直に出射する光の増強度を求めた。外部から入射した光が擬似導波モードに結合しフォトルミネッセンス層で吸収されるという過程は、フォトルミネッセンス層における発光が擬似導波モードへと結合し、外部へ垂直に出射する伝播光へと変換される過程と逆の過程を計算していることに対応する。また、擬似導波モードの電場分布の計算においても、同様に外部から光を入射した場合における電場を計算した。
【００４９】
フォトルミネッセンス層の膜厚を１μｍ、フォトルミネッセンス層の屈折率をｎwav＝１．８、周期構造の高さを５０ｎｍ、周期構造の屈折率を１．５とし、発光波長および周期構造の周期をそれぞれ変えて、正面方向に出射する光の増強度を計算した結果を図２に示す。計算モデルは、図１Ａに示すように、ｙ方向には均一な１次元周期構造とし、光の偏光はｙ方向に平行な電場成分を有するＴＭモードであるとして計算を行った。図２の結果から、増強度のピークが、ある特定の波長と周期との組み合わせにおいて存在することがわかる。なお、図２において、増強度の大きさは色の濃淡で表されており、濃い（即ち黒い）方が増強度が大きく、淡い（即ち白い）方が増強度が小さい。
【００５０】
上記の計算において、周期構造の断面は、図１Ｂに示すような矩形であるものとしている。式（１０）におけるｍ＝１およびｍ＝３の条件を図示したグラフを図３に示す。図２と図３とを比較すると、図２におけるピーク位置はｍ＝１とｍ＝３に対応するところに存在することがわかる。ｍ＝１の方が強度が強いのは、３次以上の高次の回折光よりも１次の回折光の回折効率の方が高いからである。ｍ＝２のピークが存在しないのは、周期構造における回折効率が低いためである。
【００５１】
図３で示したｍ＝１およびｍ＝３のそれぞれに対応する領域内において、図２では複数のラインが存在することが確認できる。これは、擬似導波モードが複数存在するからであると考えられる。
【００５２】
［３−２．厚さ依存性］
図４は、フォトルミネッセンス層の屈折率をｎwav＝１．８、周期構造の周期を４００ｎｍ、高さを５０ｎｍ、屈折率を１．５とし、発光波長およびフォトルミネッセンス層の厚さｔを変えて正面方向に出力する光の増強度を計算した結果を示す図である。フォトルミネッセンス層の厚さｔが特定の値であるときに光の増強度がピークに達することがわかる。
【００５３】
図４においてピークが存在する波長６００ｎｍ、厚さｔ＝２３８ｎｍ、５３９ｎｍのときに、ｘ方向に導波するモードの電場分布を計算した結果を図５Ａおよび図５Ｂにそれぞれ示す。比較のため、ピークが存在しないｔ＝３００ｎｍの場合について同様の計算を行った結果を図５Ｃに示す。計算モデルは、上記と同様、ｙ方向に均一な１次元周期構造であるとした。各図において、黒い領域ほど電場強度が高く、白い領域ほど電場強度が低いことを表している。ｔ＝２３８ｎｍ、５３９ｎｍの場合には高い電場強度の分布があるのに対して、ｔ＝３００ｎｍでは全体的に電場強度が低い。これは、ｔ＝２３８ｎｍ、５３９ｎｍの場合には、導波モードが存在し、光が強く閉じ込められているからである。さらに、凸部または凸部の直下に電場が最も強い部分（腹）が必ず存在しており、周期構造１２０と相関のある電場が発生している特徴が見て取れる。つまり、周期構造１２０の配置に従って、導波するモードが得られていることがわかる。また、ｔ＝２３８ｎｍの場合とｔ＝５３９ｎｍの場合とを比較すると、ｚ方向の電場の節（白い部分）の数が１つだけ異なるモードであることが分かる。
【００５４】
［３−３．偏光依存性］
次に偏光依存性を確認するために、図２の計算と同じ条件で、光の偏光がｙ方向に垂直な電場成分を有するＴＥモードである場合について光の増強度の計算を行った。本計算の結果を図６に示す。ＴＭモードのとき（図２）に比べ、ピーク位置は多少変化しているものの、図３で示した領域内にピーク位置が納まっている。よって、本実施形態の構成は、ＴＭモード、ＴＥモードのいずれの偏光についても有効であることが確認できた。
【００５５】
［３−４．２次元周期構造］
さらに、２次元の周期構造による効果の検討を行った。図７Ａは、ｘ方向およびｙ方向の両方向に凹部および凸部が配列された２次元の周期構造１２０’の一部を示す平面図である。図中の黒い領域が凸部、白い領域が凹部を示している。このような２次元周期構造では、ｘ方向とｙ方向の両方の回折を考慮する必要がある。ｘ方向のみ、あるいはｙ方向のみの回折に関しては１次元の場合と同様であるが、ｘ、ｙ両方の成分を有する方向（例えば、斜め４５°方向）の回折も存在するため、１次元の場合とは異なる結果が得られることが期待できる。このような２次元周期構造に関して光の増強度を計算した結果を図７Ｂに示す。周期構造以外の計算条件は図２の条件と同じである。図７Ｂに示すように、図２に示すＴＭモードのピーク位置に加えて、図６に示すＴＥモードにおけるピーク位置と一致するピーク位置も観測された。この結果は、２次元周期構造により、ＴＥモードも、回折により変換されて出力されていることを示している。また、２次元周期構造については、ｘ方向およびｙ方向の両方について、同時に１次の回折条件を満足する回折も考慮する必要がある。このような回折光は、周期ｐの√２倍（即ち、２1/2倍）の周期に対応する角度の方向に出射する。よって、１次元周期構造の場合のピークに加えて、周期ｐの√２倍の周期についてもピークが発生すると考えられる。図７Ｂでは、このようなピークも確認できる。
【００５６】
２次元周期構造としては、図７Ａに示すようなｘ方向およびｙ方向の周期が等しい正方格子の構造に限らず、図１８Ａおよび図１８Ｂのような六角形や三角形を並べた格子構造であってもよい。また、方位方向によって（例えば、正方格子の場合ｘ方向およびｙ方向）の周期が異なる構造であってもよい。
【００５７】
以上のように、本実施形態では、周期構造とフォトルミネッセンス層とによって形成される特徴的な擬似導波モードの光を、周期構造による回折現象を利用して、正面方向にのみ選択的に出射できることが確認できた。このような構成で、フォトルミネッセンス層を紫外線や青色光などの励起光で励起させることにより、指向性を有する発光が得られる。
【００５８】
［４．周期構造およびフォトルミネッセンス層の構成の検討］
次に、周期構造およびフォトルミネッセンス層の構成や屈折率などの各種条件を変えたときの効果について説明する。
【００５９】
［４−１．周期構造の屈折率］
まず、周期構造の屈折率に関して検討を行った。フォトルミネッセンス層の膜厚を２００ｎｍ、フォトルミネッセンス層の屈折率をｎwav＝１．８、周期構造は図１Ａに示すようなｙ方向に均一な１次元周期構造とし、高さを５０ｎｍ、周期を４００ｎｍとし、光の偏光はｙ方向に平行な電場成分を有するＴＭモードであるものとして計算を行った。発光波長および周期構造の屈折率を変えて正面方向に出力する光の増強度を計算した結果を図８に示す。また、同様の条件でフォトルミネッセンス層の膜厚を１０００ｎｍにした場合の結果を図９に示す。
【００６０】
まず、フォトルミネッセンス層の膜厚に着目すると、膜厚が２００ｎｍの場合（図８）に比べ、膜厚が１０００ｎｍの場合（図９）のほうが、周期構造の屈折率の変化に対する光強度がピークとなる波長（ピーク波長と称する。）のシフトが小さいことがわかる。これは、フォトルミネッセンス層の膜厚が小さいほど、擬似導波モードが周期構造の屈折率の影響を受けやすいからである。即ち、周期構造の屈折率が高いほど、有効屈折率が大きくなり、その分ピーク波長が長波長側にシフトするが、この影響は、膜厚が小さいほど顕著になる。なお、有効屈折率は、擬似導波モードの電場が分布する領域に存在する媒質の屈折率によって決まる。
【００６１】
次に、周期構造の屈折率の変化に対するピークの変化に着目すると、屈折率が高いほどピークが広がり強度が下がっていることがわかる。これは、周期構造の屈折率が高いほど擬似導波モードの光を外部に放出するレートが高いため、光を閉じ込める効果が減少する、すなわちＱ値が低くなることが原因である。ピーク強度を高く保つためには、光を閉じ込める効果が高い（即ちＱ値が高い）擬似導波モードを利用して、適度に光を外部に放出する構成にすればよい。これを実現するためには、屈折率がフォトルミネッセンス層の屈折率に比べて大き過ぎる材料を周期構造に用いるのは望ましくないことがわかる。したがって、ピーク強度およびＱ値をある程度高くするためには、周期構造を構成する誘電体（即ち、透光層）の屈折率を、フォトルミネッセンス層の屈折率と同等以下にすればよい。フォトルミネッセンス層がフォトルミネッセンス材料以外の材料を含むときも同様である。
【００６２】
［４−２．周期構造の高さ］
次に、周期構造の高さに関して検討を行った。フォトルミネッセンス層の膜厚を１０００ｎｍ、フォトルミネッセンス層の屈折率をｎwav＝１．８、周期構造は図１Ａに示すようなｙ方向に均一な１次元周期構造で屈折率をｎp＝１．５、周期を４００ｎｍとし、光の偏光はｙ方向に平行な電場成分を有するＴＭモードであるものとして計算を行った。発光波長および周期構造の高さを変えて正面方向に出力する光の増強度を計算した結果を図１０に示す。同様の条件で、周期構造の屈折率をｎp＝２．０とした場合の計算結果を図１１に示す。図１０に示す結果では、ある程度以上の高さではピーク強度やＱ値（即ち、ピークの線幅）が変化していないのに対して、図１１に示す結果では、周期構造の高さが大きいほどピーク強度およびＱ値が低下していることがわかる。これは、フォトルミネッセンス層の屈折率ｎwavが周期構造の屈折率ｎpよりも高い場合（図１０）には、光が全反射するので、擬似導波モードの電場の染み出し（エバネッセント）部分のみが周期構造と相互作用することに起因する。電場のエバネッセント部分と周期構造との相互作用の影響は、周期構造の高さが十分大きい場合には、それ以上高さが変化しても一定である。一方、フォトルミネッセンス層の屈折率ｎwavが周期構造の屈折率ｎpよりも低い場合（図１１）は、全反射せずに周期構造の表面にまで光が到達するので、周期構造の高さが大きいほどその影響を受ける。図１１を見る限り、高さは１００ｎｍ程度あれば十分であり、１５０ｎｍを超える領域ではピーク強度およびＱ値が低下していることがわかる。したがって、フォトルミネッセンス層の屈折率ｎwavが周期構造の屈折率ｎpよりも低い場合に、ピーク強度およびＱ値をある程度高くするためには、周期構造の高さを１５０ｎｍ以下に設定すればよい。
【００６３】
［４−３．偏光方向］
次に、偏光方向に関して検討を行った。図９に示す計算と同じ条件で、光の偏光がｙ方向に垂直な電場成分を有するＴＥモードであるものとして計算した結果を図１２に示す。ＴＥモードでは、擬似導波モードの電場の染み出しがＴＭモードに比べて大きいため、周期構造による影響を受けやすい。よって、周期構造の屈折率ｎpがフォトルミネッセンス層の屈折率ｎwavよりも大きい領域では、ピーク強度およびＱ値の低下がＴＭモードよりも著しい。
【００６４】
［４−４．フォトルミネッセンス層の屈折率］
次に、フォトルミネッセンス層の屈折率に関して検討を行った。図９に示す計算と同様の条件で、フォトルミネッセンス層の屈折率ｎwavを１．５に変更した場合の結果を図１３に示す。フォトルミネッセンス層の屈折率ｎwavが１．５の場合においても概ね図９と同様の効果が得られていることがわかる。ただし、波長が６００ｎｍ以上の光は正面方向に出射していないことがわかる。これは、式（１０）より、λ0＜ｎwav×ｐ／ｍ＝１．５×４００ｎｍ／１＝６００ｎｍとなるからである。
【００６５】
以上の分析から、周期構造の屈折率はフォトルミネッセンス層の屈折率と同等以下にするか、周期構造の屈折率がフォトルミネッセンス層の屈折率以上の場合には、高さを１５０ｎｍ以下にすれば、ピーク強度およびＱ値を高くできることがわかる。
【００６６】
［５．変形例］
以下、本実施形態の変形例を説明する。
【００６７】
［５−１．基板を有する構成］
上述のように、発光素子は、図１Ｃおよび図１Ｄに示すように、透明基板１４０の上にフォトルミネッセンス層１１０および周期構造１２０が形成された構造を有していてもよい。このような発光素子１００ａを作製するには、まず、透明基板１４０上にフォトルミネッセンス層１１０を構成するフォトルミネッセンス材料（必要に応じて、マトリクス材料を含む、以下同じ。）で薄膜を形成し、その上に周期構造１２０を形成する方法が考えられる。このような構成において、フォトルミネッセンス層１１０と周期構造１２０とにより、光を特定の方向に出射する機能をもたせるためには、透明基板１４０の屈折率ｎsはフォトルミネッセンス層の屈折率ｎwav以下にする必要がある。透明基板１４０をフォトルミネッセンス層１１０に接するように設けた場合、式（１０）における出射媒質の屈折率ｎoutをｎsとした式（１５）を満足するように周期ｐを設定する必要がある。
【００６８】
このことを確認するために、屈折率が１．５の透明基板１４０の上に、図２に示す計算と同じ条件のフォトルミネッセンス層１１０および周期構造１２０を設けた場合の計算を行った。本計算の結果を図１４に示す。図２の結果と同様、波長ごとに特定の周期において光強度のピークが現れることが確認できるが、ピークが現れる周期の範囲が図２の結果とは異なることがわかる。これに対して、式（１０）の条件をｎout＝ｎsとした式（１５）の条件を図１５に示す。図１４において、図１５に示される範囲に対応する領域内に、光強度のピークが現れていることがわかる。
【００６９】
したがって、透明基板１４０上にフォトルミネッセンス層１１０と周期構造１２０とを設けた発光素子１００ａでは、式（１５）を満足する周期ｐの範囲において効果が得られ、式（１３）を満足する周期ｐの範囲において特に顕著な効果が得られる。
【００７０】
［５−２．励起光源を有する発光装置］
図１６は、図１Ａ、１Ｂに示す発光素子１００と、励起光をフォトルミネッセンス層１１０に入射させる光源１８０とを備える発光装置２００の構成例を示す図である。上述のように、本開示の構成では、フォトルミネッセンス層を紫外線や青色光などの励起光で励起させることにより、指向性をもつ発光が得られる。そのような励起光を出射するように構成された光源１８０を設けることにより、指向性をもつ発光装置２００を実現できる。光源１８０から出射される励起光の波長は、典型的には紫外または青色領域の波長であるが、これらに限らず、フォトルミネッセンス層１１０を構成するフォトルミネッセンス材料に応じて適宜決定される。なお、図１６では、光源１８０がフォトルミネッセンス層１１０の下面から励起光を入射させるように配置されているが、このような例に限定されず、例えば、フォトルミネッセンス層１１０の上面から励起光を入射させてもよい。
【００７１】
励起光を擬似導波モードに結合させることで、効率よく光を出射させる方法もある。図１７は、そのような方法を説明するための図である。この例では、図１Ｃ、１Ｄに示す構成と同様、透明基板１４０上にフォトルミネッセンス層１１０および周期構造１２０が形成されている。まず、図１７（ａ）に示すように、発光増強のためにｘ方向の周期ｐxを決定し、続いて、図１７（ｂ）に示すように、励起光を擬似導波モードに結合させるためにｙ方向の周期ｐyを決定する。周期ｐxは、式（１０）においてｐをｐxに置き換えた条件を満足するように決定される。一方、周期ｐyは、ｍを１以上の整数、励起光の波長をλex、フォトルミネッセンス層１１０に接する媒質のうち、周期構造１２０を除く最も屈折率の高い媒質の屈折率をｎoutとして、以下の式（１６）を満足するように決定される。
【数１６】
2016034017.tif 000018
ここで、ｎoutは、図１７の例では透明基板１４０のｎsであるが、図１６のように透明基板１４０を設けない構成では、空気の屈折率（約１．０）である。
【００７２】
特に、ｍ＝１として、次の式（１７）を満足するように周期ｐyを決定すれば、励起光を擬似導波モードに変換する効果をより高くすることができる。
【数１７】
2016034017.tif 000019
【００７３】
このように、式（１６）の条件（特に式（１７）の条件）を満足するように周期ｐyを設定することで、励起光を擬似導波モードに変換することができる。その結果、フォトルミネッセンス層１１０に効率的に波長λexの励起光を吸収させることができる。
【００７４】
図１７（ｃ）、（ｄ）は、それぞれ、図１７（ａ）、（ｂ）に示す構造に対して光を入射したときに光が吸収される割合を波長ごとに計算した結果を示す図である。この計算では、ｐx＝３６５ｎｍ、ｐy＝２６５ｎｍとし、フォトルミネッセンス層１１０からの発光波長λを約６００ｎｍ、励起光の波長λexを約４５０ｎｍ、フォトルミネッセンス層１１０の消衰係数は０．００３としている。図１７（ｄ）に示すように、フォトルミネッセンス層１１０から生じた光だけでなく、励起光である約４５０ｎｍの光に対して高い吸収率を示している。これは、入射した光が効果的に擬似導波モードに変換されることで、フォトルミネッセンス層に吸収される割合を増大させることができているためである。また、発光波長である約６００ｎｍに対しても吸収率が増大しているが、これは、もし約６００ｎｍの波長の光をこの構造に入射した場合には、同様に効果的に擬似導波モードに変換されるということである。このように、図１７（ｂ）に示す周期構造１２０は、ｘ方向およびｙ方向のそれぞれに周期の異なる構造（周期成分）を有する２次元周期構造である。このように、複数の周期成分を有する２次元周期構造を用いることにより、励起効率を高めつつ、出射強度を高めることが可能になる。なお、図１７では励起光を基板側から入射しているが、周期構造側から入射しても同じ効果が得られる。
【００７５】
さらに、複数の周期成分を有する２次元周期構造としては、図１８Ａまたは図１８Ｂに示すような構成を採用してもよい。図１８Ａに示すように六角形の平面形状を有する複数の凸部または凹部を周期的に並べた構成や、図１８Ｂに示すように三角形の平面形状を有する複数の凸部または凹部を周期的に並べた構成とすることにより、周期とみなすことのできる複数の主軸（図の例では軸１〜３）を定めることができる。このため、それぞれの軸方向について異なる周期を割り当てることができる。これらの周期の各々を、複数の波長の光の指向性を高めるために設定してもよいし、励起光を効率よく吸収させるために設定してもよい。いずれの場合も、式（１０）に相当する条件を満足するように各周期が設定される。
【００７６】
［５−３．透明基板上の周期構造］
図１９Ａおよび図１９Ｂに示すように、透明基板１４０上に周期構造１２０ａを形成し、その上にフォトルミネッセンス層１１０を設けてもよい。図１９Ａの構成例では、基板１４０上の凹凸からなる周期構造１２０ａに追従するようにフォトルミネッセンス層１１０が形成された結果、フォトルミネッセンス層１１０の表面にも同じ周期の周期構造１２０ｂが形成されている。一方、図１９Ｂの構成例では、フォトルミネッセンス層１１０の表面は平坦になるように処理されている。これらの構成例においても、周期構造１２０ａの周期ｐを式（１５）を満足するように設定することにより、指向性発光を実現できる。
【００７７】
この効果を検証するため、図１９Ａの構成において、発光波長および周期構造の周期を変えて正面方向に出力する光の増強度を計算した。ここで、フォトルミネッセンス層１１０の膜厚を１０００ｎｍ、フォトルミネッセンス層１１０の屈折率をｎwav＝１．８、周期構造１２０ａはｙ方向に均一な１次元周期構造で高さを５０ｎｍ、屈折率をｎp＝１．５、周期を４００ｎｍとし、光の偏光はｙ方向に平行な電場成分を有するＴＭモードであるものとした。本計算の結果を図１９Ｃに示す。本計算においても、式（１５）の条件を満足する周期で光強度のピークが観測された。
【００７８】
［５−４．粉体］
以上の実施形態によれば、周期構造の周期や、フォトルミネッセンス層の膜厚を調整することで任意の波長の発光を強調することができる。例えば、広い帯域で発光するフォトルミネッセンス材料を用いて図１Ａ、１Ｂのような構成にすれば、ある波長の光のみを強調することが可能である。よって、図１Ａ、１Ｂのような発光素子１００の構成を粉末状にして、蛍光材料として利用してもよい。また、図１Ａ、１Ｂのような発光素子１００を樹脂やガラスなどに埋め込んで利用してもよい。
【００７９】
図１Ａ、１Ｂのような単体の構成では、ある特定の波長しか特定の方向に出射できないため、例えば広い波長域のスペクトルを持つ白色などの発光を実現することは難しい。そこで、図２０に示すように周期構造の周期やフォトルミネッセンス層の膜厚などの条件の異なる複数の粉末状の発光素子１００を混ぜたものを用いることにより、広い波長域のスペクトルを持つ発光装置を実現できる。この場合、個々の発光素子１００の一方向のサイズは、例えば数μｍ〜数ｍｍ程度であり、その中に例えば数周期〜数百周期の１次元または２次元の周期構造を含み得る。
【００８０】
［５−５．周期の異なる構造を配列］
図２１は、フォトルミネッセンス層の上に周期の異なる複数の周期構造を２次元に配列した例を示す平面図である。この例では、３種類の周期構造１２０ａ、１２０ｂ、１２０ｃが隙間なく配列されている。周期構造１２０ａ、１２０ｂ、１２０ｃは、例えば、赤、緑、青の波長域の光をそれぞれ正面に出射するように周期が設定されている。このように、フォトルミネッセンス層の上に周期の異なる複数の構造を並べることによっても広い波長域のスペクトルに対し指向性を発揮させることができる。なお、複数の周期構造の構成は、上記のものに限定されず、任意に設定してよい。
【００８１】
［５−６．積層構造］
図２２は、表面に凹凸構造が形成された複数のフォトルミネッセンス層１１０が積層された構造を有する発光素子の一例を示している。複数のフォトルミネッセンス層１１０の間には、透明基板１４０が設けられ、各層のフォトルミネッセンス層１１０の表面に形成された凹凸構造が上記の周期構造またはサブミクロン構造に相当する。図２２に示す例では、３層の周期の異なる周期構造が形成されており、それぞれ、赤、青、緑の波長域の光を正面に出射するように周期が設定されている。また、各周期構造の周期に対応する色の光を発するように各層のフォトルミネッセンス層１１０の材料が選択されている。このように、周期の異なる複数の周期構造を積層することによっても、広い波長域のスペクトルに対し指向性を発揮させることができる。
【００８２】
なお、層数や各層のフォトルミネッセンス層１１０および周期構造の構成は上記のものに限定されず、任意に設定してよい。例えば２層の構成では、透光性の基板を介して第１のフォトルミネッセンス層と第２のフォトルミネッセンス層とが対向するように形成され、第１および第２のフォトルミネッセンス層の表面に、それぞれ第１および第２の周期構造が形成されることになる。この場合、第１のフォトルミネッセンス層および第１の周期構造の対と、第２のフォトルミネッセンス層および第２の周期構造の対のそれぞれについて、式（１５）に相当する条件を満足していればよい。３層以上の構成においても同様に、各層におけるフォトルミネッセンス層および周期構造について、式（１５）に相当する条件を満足していればよい。フォトルミネッセンス層と周期構造との位置関係が図２２に示すものとは逆転していてもよい。図２２に示す例では、各層の周期が異なっているが、これらを全て同じ周期にしてもよい。その場合、スペクトルを広くすることはできないが、発光強度を大きくすることができる。
【００８３】
［５−７．保護層を有する構成］
図２３は、フォトルミネッセンス層１１０と周期構造１２０との間に保護層１５０を設けた構成例を示す断面図である。このように、フォトルミネッセンス層１１０を保護するための保護層１５０を設けても良い。ただし、保護層１５０の屈折率がフォトルミネッセンス層１１０の屈折率よりも低い場合は、保護層１５０の内部に波長の半分程度しか光の電場が染み出さない。よって、保護層１５０が波長よりも厚い場合には、周期構造１２０に光が届かない。このため、擬似導波モードが存在せず、光を特定方向に放出する機能を得ることができない。保護層１５０の屈折率がフォトルミネッセンス層１１０の屈折率と同程度あるいはそれ以上の場合には、保護層１５０の内部にまで光が到達する。よって、保護層１５０に厚さの制約は無い。ただし、その場合でも、光が導波する部分（以下、この部分を「導波層」と呼ぶ。）の大部分をフォトルミネッセンス材料で形成したほうが大きな光の出力が得られる。よって、この場合でも保護層１５０は薄いほうが望ましい。なお、保護層１５０を周期構造（透光層）１２０と同じ材料を用いて形成してもよい。このとき、周期構造を有する透光層が保護層を兼ねる。透光層１２０の屈折率はフォトルミネッセンス層１１０よりも小さいことが望ましい。
【００８４】
［６．材料および製造方法］
以上のような条件を満たす材料でフォトルミネッセンス層（あるいは導波層）および周期構造を構成すれば、指向性発光を実現できる。周期構造には任意の材料を用いることができる。しかしながら、フォトルミネッセンス層（あるいは導波層）や周期構造を形成する媒質の光吸収性が高いと、光を閉じ込める効果が低下し、ピーク強度およびＱ値が低下する。よって、フォトルミネッセンス層（あるいは導波層）および周期構造を形成する媒質として、光吸収性の比較的低いものが用いられ得る。
【００８５】
周期構造の材料としては、例えば、光吸収性の低い誘電体が使用され得る。周期構造の材料の候補としては、例えば、ＭｇＦ2（フッ化マグネシウム）、ＬｉＦ（フッ化リチウム）、ＣａＦ2（フッ化カルシウム）、ＳｉＯ2（石英）、ガラス、樹脂、ＭｇＯ（酸化マグネシウム）、ＩＴＯ（酸化インジウム錫）、ＴｉＯ2（酸化チタン）、ＳｉＮ（窒化シリコン）、Ｔａ2Ｏ5（五酸化タンタル）、ＺｒＯ2（ジルコニア）、ＺｎＳｅ（セレン化亜鉛）、ＺｎＳ（硫化亜鉛）などが挙げられる。ただし、前述のとおり周期構造の屈折率をフォトルミネッセンス層の屈折率よりも低くする場合、屈折率が１．３〜１．５程度であるＭｇＦ2、ＬｉＦ、ＣａＦ2、ＳｉＯ2、ガラス、樹脂を用いることができる。
【００８６】
フォトルミネッセンス材料は、狭義の蛍光材料および燐光材料を包含し、無機材料だけなく、有機材料（例えば色素）を包含し、さらには、量子ドット（即ち、半導体微粒子）を包含する。一般に、無機材料をホストとする蛍光材料は屈折率が高い傾向にある。青色に発光する蛍光材料としては、例えば、Ｍ10（ＰＯ4）6Ｃｌ2：Ｅｕ2+（Ｍ＝Ｂａ，ＳｒおよびＣａから選ばれる少なくとも１種）、ＢａＭｇＡｌ10Ｏ17：Ｅｕ2+、Ｍ3ＭｇＳｉ2Ｏ8：Ｅｕ2+（Ｍ＝Ｂａ，ＳｒおよびＣａから選ばれる少なくとも１種）、Ｍ5ＳｉＯ4Ｃｌ6：Ｅｕ2+（Ｍ＝Ｂａ，ＳｒおよびＣａから選ばれる少なくとも１種）を用いることができる。緑色に発光する蛍光材料としては、例えば、Ｍ2ＭｇＳｉ2Ｏ7：Ｅｕ2+（Ｍ＝Ｂａ，ＳｒおよびＣａから選ばれる少なくとも１種）、ＳｒＳｉ5ＡｌＯ2Ｎ7：Ｅｕ2+、ＳｒＳｉ2Ｏ2Ｎ2：Ｅｕ2+、ＢａＡｌ2Ｏ4：Ｅｕ2+、ＢａＺｒＳｉ3Ｏ9：Ｅｕ2+、Ｍ2ＳｉＯ4：Ｅｕ2+（Ｍ＝Ｂａ，ＳｒおよびＣａから選ばれる少なくとも１種）、ＢａＳｉ3Ｏ4Ｎ2：Ｅｕ2+Ｃａ8Ｍｇ（ＳｉＯ4）4Ｃｌ2：Ｅｕ2+、Ｃａ3ＳｉＯ4Ｃｌ2：Ｅｕ2+、ＣａＳｉ12-(m+n)Ａｌ(m+n)ＯnＮ16-n：Ｃｅ3+、β−ＳｉＡｌＯＮ：Ｅｕ2+を用いることができる。赤色に発光する蛍光材料としては、例えば、ＣａＡｌＳｉＮ3：Ｅｕ2+、ＳｒＡｌＳｉ4Ｏ7：Ｅｕ2+、Ｍ2Ｓｉ5Ｎ8：Ｅｕ2+（Ｍ＝Ｂａ，ＳｒおよびＣａから選ばれる少なくとも１種）、ＭＳｉＮ2：Ｅｕ2+（Ｍ＝Ｂａ，ＳｒおよびＣａから選ばれる少なくとも１種）、ＭＳｉ2Ｏ2Ｎ2：Ｙｂ2+（Ｍ＝ＳｒおよびＣａから選ばれる少なくとも１種）、Ｙ2Ｏ2Ｓ：Ｅｕ3+，Ｓｍ3+、Ｌａ2Ｏ2Ｓ：Ｅｕ3+，Ｓｍ3+、ＣａＷＯ4：Ｌｉ1+，Ｅｕ3+，Ｓｍ3+、Ｍ2ＳｉＳ4：Ｅｕ2+（Ｍ＝Ｂａ，ＳｒおよびＣａから選ばれる少なくとも１種）、Ｍ3ＳｉＯ5：Ｅｕ2+（Ｍ＝Ｂａ，ＳｒおよびＣａから選ばれる少なくとも１種）を用いることができる。黄色に発光する蛍光材料としては、例えば、Ｙ3Ａｌ5Ｏ12：Ｃｅ3+、ＣａＳｉ2Ｏ2Ｎ2：Ｅｕ2+、Ｃａ3Ｓｃ2Ｓｉ3Ｏ12：Ｃｅ3+、ＣａＳｃ2Ｏ4：Ｃｅ3+、α−ＳｉＡｌＯＮ：Ｅｕ2+、ＭＳｉ2Ｏ2Ｎ2：Ｅｕ2+（Ｍ＝Ｂａ，ＳｒおよびＣａから選ばれる少なくとも１種）、Ｍ7（ＳｉＯ3）6Ｃｌ2：Ｅｕ2+（Ｍ＝Ｂａ，ＳｒおよびＣａから選ばれる少なくとも１種）を用いることができる。
【００８７】
量子ドットについては、例えば、ＣｄＳ、ＣｄＳｅ、コア・シェル型ＣｄＳｅ／ＺｎＳ、合金型ＣｄＳＳｅ／ＺｎＳなどの材料を用いることができ、材質によって様々な発光波長を得ることができる。量子ドットのマトリクスとしては、例えば、ガラスや樹脂を用いることができる。
【００８８】
図１Ｃ、１Ｄなどに示す透明基板１４０は、フォトルミネッセンス層１１０の屈折率よりも低い透光性材料によって構成される。そのような材料として、例えば、ＭｇＦ（フッ化マグネシウム）、ＬｉＦ（フッ化リチウム）、ＣａＦ2（フッ化カルシウム）、ＳｉＯ2（石英）、ガラス、樹脂が挙げられる。
【００８９】
続いて、製造方法の一例を説明する。
【００９０】
図１Ｃ、１Ｄに示す構成を実現する方法として、例えば、透明基板１４０上に蛍光材料を蒸着、スパッタリング、塗布などの工程によってフォトルミネッセンス層１１０の薄膜を形成し、その後、誘電体を成膜し、フォトリソグラフィなどの方法によってパターニングすることによって周期構造１２０を形成する方法がある。上記方法の代わりに、ナノインプリントによって周期構造１２０を形成してもよい。また、図２４に示すように、フォトルミネッセンス層１１０の一部のみを加工することによって周期構造１２０を形成してもよい。その場合、周期構造１２０はフォトルミネッセンス層１１０と同じ材料で形成されることになる。
【００９１】
図１Ａ、１Ｂに示す発光素子１００は、例えば、図１Ｃ、１Ｄに示す発光素子１００ａを作製した後、基板１４０からフォトルミネッセンス層１１０および周期構造１２０の部分を剥がす工程を行うことで実現可能である。
【００９２】
図１９Ａに示す構成は、例えば、透明基板１４０上に半導体プロセスやナノインプリントなどの方法で周期構造１２０ａを形成した後、その上にフォトルミネッセンス層１１０を構成する材料を蒸着やスパッタリングなどの方法で形成することによって実現可能である。あるいは、塗布などの方法を用いて周期構造１２０ａの凹部をフォトルミネッセンス層１１０で埋め込むことによって図１９Ｂに示す構成を実現することもできる。
【００９３】
なお、上記の製造方法は一例であり、本開示の発光素子は上記の製造方法に限定されない。
【００９４】
[実験例]
以下に、本開示の実施形態による発光素子を作製した例を説明する。
【００９５】
図１９Ａと同様の構成を有する発光素子のサンプルを試作し、特性を評価した。発光素子は以下の様にして作製した。
【００９６】
ガラス基板に、周期４００ｎｍ、高さ４０ｎｍの１次元周期構造（ストライプ状の凸部）を設け、その上からフォトルミネッセンス材料であるＹＡＧ：Ｃｅを２１０ｎｍ成膜した。この断面図のＴＥＭ像を図２５に示し、これを４５０ｎｍのＬＥＤで励起することでＹＡＧ：Ｃｅを発光させたときの、正面方向のスペクトルを測定した結果を図２６に示す。図２６には、周期構造がない場合の測定結果（ｒｅｆ）と、１次元周期構造に対して平行な偏光成分を持つＴＭモードと、垂直な偏光成分を持つＴＥモードを測定した結果について示した。周期構造がある場合は、周期構造がない場合に対して、特定の波長の光が著しく増加していることが見て取れる。また、１次元周期構造に対して平行な偏光成分を持つＴＭモードの方が、光の増強効果が大きいことが分かる。
【００９７】
さらに、同じサンプルにおいて、出射光強度の角度依存性を測定した結果および計算結果を図２７および図２８に示す。図２７は、１次元周期構造（周期構造１２０）のライン方向と平行な軸を回転軸として回転させた場合について、図２８は、１次元周期構造（即ち、周期構造１２０）のライン方向に対して垂直な方向を回転軸として回転させた場合についての測定結果（上段）および計算結果（下段）を示している。また、図２７および図２８のそれぞれにおいて、ＴＭモードおよびＴＥモードの直線偏光についての結果を示しており、図２７（ａ）はＴＭモード、図２７（ｂ）はＴＥモード、図２８（ａ）はＴＥモード、図２８（ｂ）はＴＭモードの直線偏光についての結果をそれぞれ示している。図２７および図２８から明らかなように、ＴＭモードの方が増強する効果が高く、また増強される波長は角度によってシフトしていく様子が見て取れる。例えば、６１０ｎｍの光においては、ＴＭモードでかつ正面方向にしか光が存在しないため、指向性かつ偏光発光していることがわかる。また、各図の上段と下段とが整合していることから、上述の計算の妥当性が実験によって裏付けられた。
【００９８】
上記の測定結果から例えば、６１０ｎｍの光において、ライン方向に対して垂直な方向を回転軸として回転させた場合の強度の角度依存性を示したのが図２９である。正面方向に強い発光増強が起きており、そのほかの角度に対しては、ほとんど光が増強されていない様子がみてとれる。正面方向に出射される光の指向角は１５°未満であることがわかる。なお、指向角は、強度が最大強度の５０％となる角度であり、最大強度の方向を中心に片側の角度で表す。つまり、指向性発光が実現していることがわかる。さらにこれは、全てＴＭモードの成分であるため、同時に偏光発光も実現していることがわかる。
【００９９】
以上の検証は、広帯域の波長帯で発光するＹＡＧ：Ｃｅを使って実験を行ったが、発光が狭帯域のフォトルミネッセンス材料で同様の構成としても、その波長の光に対して指向性や偏光発光を実現することができる。さらに、この場合、他の波長の光は発生しないために他の方向や偏光状態の光は発生しないような光源を実現することができる。
【０１００】
［７．発光素子と励起光源素子とが一体的に形成された発光装置］
本開示のある実施形態による発光装置は、発光素子と励起光源素子とを備える。発光素子と励起光源素子とは、一体的に形成されている。なお、図面において、実質的に同じ機能を有する構成要素は共通の参照符号で示し、その説明を省略することがある。
【０１０１】
図３１（ａ）を参照して、実施形態による発光装置を説明する。図３１（ａ）は、発光装置３００の模式的な断面図である。
【０１０２】
発光装置３００は、発光素子１００と、励起光源素子１８０とを備える。発光素子１００は、フォトルミネッセンス層１１０と、透光層１２０と、サブミクロン構造とを有する。透光層１２０は、フォトルミネッセンス層１１０に近接して配置される。サブミクロン構造は、フォトルミネッセンス層１１０および透光層１２０の少なくとも一方に形成され、フォトルミネッセンス層１１０または透光層１２０の面内に広がる。サブミクロン構造は、複数の凸部または複数の凹部を含む。隣接する凸部間または隣接する凹部間の距離をＤintとする。フォトルミネッセンス層１１０が発する光は、空気中の波長がλaの第１の光を含む。第１の光に対するフォトルミネッセンス層１１０の屈折率をｎwav-aとする。これらの間には、λa／ｎwav-a＜Ｄint＜λaの関係が成り立つ。励起光源素子１８０は、フォトルミネッセンス層１１０に導入される励起光を発する。発光素子１００と励起光源素子１８０とは、一体的に形成されている。簡単のため、励起光源素子１８０を、光源１８０と同じ参照符号で示す。
【０１０３】
発光装置３００は、発光素子１００と励起光源素子１８０とが一体的に形成されているので、指向性および発光効率に優れた発光素子と励起光源とを含む発光装置の小型化を実現することができる。
【０１０４】
図３１（ａ）に示すように、励起光源素子１８０は、例えば、発光素子１００の下面側に設けられている。発光素子１００は、例えば、励起光源素子１８０に支持されている。
【０１０５】
励起光源素子１８０が発する励起光の波長は、典型的には紫外または青色領域の波長である。ただし、励起光源素子１８０が発する励起光の波長は、これらに限られず、フォトルミネッセンス層１１０を構成するフォトルミネッセンス材料に応じて適宜決定され得る。励起光源素子１８０は、例えば、発光ダイオード（ＬＥＤ）である。ＬＥＤは、例えば、ボトムエミッション型またはトップエミッション型である。
【０１０６】
ＬＥＤの構造を、図３２（ａ）および図３２（ｂ）を参照して説明する。図３２（ａ）は、ボトムエミッション型のＬＥＤを模式的に示す断面図である。図３２（ｂ）は、トップエミッション型のＬＥＤを模式的に示す断面図である。ただし、ＬＥＤの構造は、図示するものに限られない。励起光源素子１８０として、公知のＬＥＤを用いることができる。ＬＥＤの構造および原理についてはよく知られているので、詳しい説明は省略する。
【０１０７】
図３２（ａ）に示すように、ボトムエミッション型のＬＥＤは、例えば、第１電極１８１と、第２電極１８２と、これらの電極の間に設けられた半導体積層構造１８３と、これらを支持する基板１８４を備える。基板１８４が半導体から形成される場合には、第２電極１８２は、基板１８４の下面側に設けられていてもよい。例えば、第１電極１８１は、半導体積層構造１８３が発する光を反射する。第１電極１８１は、例えば、反射率が高い金属から形成される。例えば、第２電極１８２および基板１８４は、半導体積層構造１８３が発する光を透過する。第２電極１８２は、例えば、不純物がドープされた半導体から形成される。半導体積層構造１８３が発する光は、ＬＥＤの下面（基板１８４側）から出射される。
【０１０８】
発光装置３００の励起光源素子１８０が、ボトムエミッション型のＬＥＤである場合は、例えば、基板１８４上に発光素子１００が形成される。すなわち、励起光源素子１８０の出射面が、発光素子１００と接してもよい。励起光源素子１８０の出射面は、例えば、フォトルミネッセンス層１１０または透光層１２０と直接接してもよい。励起光源素子の出射面とは、励起光が最も多く出射される面をいう。出射面は、典型的には、励起光が出射される方向に垂直な面である。例えば、ボトムエミッション型のＬＥＤを用意し、ＬＥＤの基板上にフォトルミネッセンス材料を堆積することにより、発光素子１００が励起光源素子１８０に支持される発光装置３００を製造することができる。
【０１０９】
励起光源素子１８０の出射面が、フォトルミネッセンス層１１０または透光層１２０と直接接することにより、励起光のロスが低減され、励起光が効率よくフォトルミネッセンス層１１０に導かれ得る。ここで、励起光のロスとは、フォトルミネッセンス層１１０に導入されない光をいい、例えば、発光装置の外部に漏れる光である。
【０１１０】
図３２（ｂ）に示すトップエミッション型のＬＥＤにおいては、半導体積層構造１８３が発する光は、ＬＥＤの上面から出射される。すなわち、以下の点において、トップエミッション型のＬＥＤは、ボトムエミッション型のＬＥＤと異なる。両者の相違点は、第１電極１８１が、半導体積層構造１８３が発する光を透過する点、および、半導体積層構造１８３が発する光を反射する反射膜１８９が、半導体積層構造１８３の下側（第１電極１８１側とは反対側）に設けられている点である。反射膜１８９は、例えば、図示するように基板１８４の下側（半導体積層構造１８３側とは反対側）に設けられ得る。あるいは、反射膜１８９は、例えば、第２電極１８２と基板１８４との間に設けられてもよい。第２電極１８２が、半導体積層構造１８３が発する光を反射する場合は、反射膜１８９は省略され得る。励起光源素子１８０が、トップエミッション型のＬＥＤである場合は、第１電極１８１上に発光素子１００が形成され得る。励起光源素子１８０の出射面が、発光素子１００と接してもよい。励起光源素子１８０の出射面は、例えば、フォトルミネッセンス層１１０または透光層１２０と直接接してもよい。
【０１１１】
発光装置３００において、励起光源素子１８０のうち発光素子１００と接する層の屈折率は、例えば、フォトルミネッセンス層１１０の屈折率よりも小さい。この屈折率の関係は、例えば、フォトルミネッセンス層１１０が発する光が有する、空気中の波長がλaの第１の光に対して成り立つ。従って、励起光源素子１８０が、発光素子１００内に形成される擬似導波モードに与える影響は小さいと考えられる。発光装置３００は、発光素子１００の指向性および発光効率を低減させることなく、発光素子と励起光源とを含む発光装置の小型化を実現し得る。励起光源素子１８０がボトムエミッション型のＬＥＤである場合は、励起光源素子１８０のうち発光素子１００と接する層は、例えば、基板１８４である。基板１８４は、例えばサファイア（屈折率１．７６）または窒化ガリウム（ＧａＮ）（屈折率２．４）から形成される。励起光源素子１８０がトップエミッション型のＬＥＤである場合は、励起光源素子１８０のうち発光素子１００と接する層は、例えば、第１電極１８１である。半導体積層構造１８３が発する光を透過する第１電極１８１は、例えばＩＴＯから形成される。
【０１１２】
発光装置の構成は、上記の構成に限られない。励起光源素子１８０のうち発光素子１００と接する層の屈折率は、フォトルミネッセンス層１１０の屈折率よりも大きい場合もある。例えば、図３３を参照して後述するように、発光素子が、フォトルミネッセンス層および透光層と、励起光源素子との間に、低屈折率層をさらに有する場合が挙げられる。
【０１１３】
図３１（ｂ）および図３１（ｃ）を参照して、他の実施形態による発光装置３０１および発光装置３０２を説明する。図３１（ｂ）は、発光装置３０１の模式的な断面図である。図３１（ｃ）は、発光装置３０２の模式的な断面図である。発光装置３０１および発光装置３０２は、発光素子１００の構成において、発光装置３００と異なる。発光装置３０１および発光装置３０２は、発光素子１００の構成を除いて、発光装置３００と同じであってよい。
【０１１４】
図３１（ａ）に図示する発光装置３００においては、透光層１２０が、フォトルミネッセンス層１１０に支持されている。発光素子１００の構成は、これに限られない。例えば、図３１（ｂ）に図示する発光装置３０１が有する発光素子１００のように、透光層１２０上にフォトルミネッセンス層１１０が設けられていてもよい。例えば、図３１（ｃ）に図示する発光装置３０２が有する発光素子１００のように、フォトルミネッセンス層１１０の上面および下面の両方に透光層１２０が設けられていてもよい。さらに、図示した例に限られず、発光素子１００は、上述した本開示の実施形態による発光素子のいずれかと同じであってよい。発光素子１００は、上述した本開示の実施形態による発光素子のいずれか複数を組み合わせた構成であってもよい。
【０１１５】
発光装置３０１および発光装置３０２の励起光源素子１８０は、例えば、ボトムエミッション型のＬＥＤである。発光装置３０１および発光装置３０２において、励起光源素子１８０のうち発光素子１００と接する層の屈折率は、例えば、フォトルミネッセンス層１１０および透光層１２０の屈折率よりも小さい。
【０１１６】
発光装置３０１および発光装置３０２を製造する際は、例えば、ボトムエミッション型のＬＥＤを用意し、ＬＥＤの基板にサブミクロン構造に応じた所定の凹凸形状（パターン）を形成する。凹凸形状の形成には、例えば、公知の半導体プロセスを用いることができる。その後、ＬＥＤの基板の上に、透光層１２０を形成する材料およびフォトルミネッセンス層１１０を形成する材料を、順に堆積させることで、発光装置３０１および発光装置３０２が、それぞれ製造される。
【０１１７】
発光装置３０２の発光素子１００は、複数のサブミクロン構造を有する。複数のサブミクロン構造は、例えば、複数の凸部または複数の凹部によって形成された複数の周期構造を含む。複数の周期構造は、例えば、周期ｐexに対して、λex／ｎwav-ex＜ｐex＜λexの関係が成り立つ周期構造を含む。ここで、励起光源素子１８０が発する励起光の空気中における波長をλexとする。励起光に対するフォトルミネッセンス層１１０の屈折率をｎwav-exとする。
【０１１８】
次に、図３３（ａ）を参照して、さらに他の実施形態による発光装置を説明する。図３３（ａ）は、発光装置３１０の模式的な断面図である。
【０１１９】
発光装置３１０の発光素子１００は、フォトルミネッセンス層１１０および透光層１２０と、励起光源素子１８０との間に、低屈折率層１３０をさらに有する点において、発光装置３００の発光素子１００と異なる。低屈折率層１３０の屈折率は、フォトルミネッセンス層１１０の屈折率よりも小さい。発光装置３１０は、低屈折率層１３０をさらに有する点を除いて、発光装置３００と同じであってよい。
【０１２０】
発光装置３１０は、発光素子１００と励起光源素子１８０とが一体的に形成されているので、指向性および発光効率に優れた発光素子と励起光源とを含む発光装置の小型化を実現することができる。
【０１２１】
低屈折率層１３０の第１の光に対する屈折率は、フォトルミネッセンス層１１０の第１の光に対する屈折率よりも小さい。従って、励起光源素子１８０が、発光素子１００内に形成される擬似導波モードに与える影響は小さいと考えられる。発光装置３１０は、発光素子１００の指向性および発光効率を低減させることなく、発光素子と励起光源とを含む発光装置の小型化を実現し得る。発光装置３１０は低屈折率層１３０を有するので、励起光源素子１８０のうち発光素子１００と接する層の屈折率は、例えば、フォトルミネッセンス層１１０の屈折率よりも大きくてもよい。励起光源素子１８０のうち発光素子１００と接する層の屈折率は、フォトルミネッセンス層１１０の屈折率よりも小さくてももちろんよい。発光装置３１０は、低屈折率層１３０を有することにより、励起光源素子１８０のうち発光素子１００と接する層を形成する材料として、より多くの材料を用いることができる。低屈折率層１３０は、例えば、二酸化珪素（ＳｉＯ2）、ＭｇＦ2、ＣａＦ2、ＢａＦ2、ＳｒＦ2、または、常温硬化ガラス（ＨＳＱ・ＳＯＧ）から形成される。低屈折率層１３０の厚さは、例えば、第１の光の空気中の波長λaよりも大きいことが望ましい。ここで、低屈折率層１３０の厚さは、フォトルミネッセンス層１１０の法線方向における厚さである。
【０１２２】
発光装置３１０において、励起光源素子１８０の出射面は、例えば、低屈折率層１３０と直接接してもよい。励起光源素子１８０の出射面が低屈折率層１３０と直接接することにより、励起光は効率よく低屈折率層１３０に到達し得る。励起光のフォトルミネッセンス層１１０への導入効率が向上し得る。
【０１２３】
発光装置３１０の製造方法は、低屈折率層１３０の形成を除いて、発光装置３００の製造方法と同じであってよい。低屈折率層１３０は、励起光源素子１８０上に低屈折率層１３０を形成する材料を堆積することにより形成される。
【０１２４】
図３３（ｂ）および図３３（ｃ）を参照して、さらに他の実施形態による発光装置３１１および発光装置３１２を説明する。図３３（ｂ）は、発光装置３１１の模式的な断面図である。図３３（ｃ）は、発光装置３１２の模式的な断面図である。発光装置３１１および発光装置３１２は、発光素子１００の構成において、発光装置３１０と異なる。発光装置３１１および発光装置３１２は、発光素子１００の構成を除いて、発光装置３１０と同じであってよい。発光装置３１１は、低屈折率層１３０をさらに有する点において、発光装置３０１と異なる。発光装置３１１は、低屈折率層１３０をさらに有する点を除いて、発光装置３０１と同じであってよい。発光装置３１２は、低屈折率層１３０をさらに有する点において、発光装置３０２と異なる。発光装置３１２は、低屈折率層１３０をさらに有する点を除いて、発光装置３０２と同じであってよい。
【０１２５】
発光装置３１１および発光装置３１２において、低屈折率層１３０の厚さは、透光層１２０の厚さよりも大きい。低屈折率層１３０の厚さは、例えば、透光層１２０の厚さと第１の光の空気中の波長λaとの和よりも大きいことが望ましい。透光層１２０と励起光源素子１８０間の距離が第１の光の空気中の波長λaよりも短くなると、発光素子１００と励起光源素子１８０との間に生成するエバネッセント光が励起光源素子１８０側に漏れ出得るからである。ここで、低屈折率層１３０の厚さおよび透光層１２０の厚さは、フォトルミネッセンス層１１０の法線方向における厚さである。低屈折率層１３０の厚さは、図示する例においては、低屈折率層１３０と励起光源素子１８０とが接する面から、低屈折率層１３０とフォトルミネッセンス層１１０とが接する面までの、フォトルミネッセンス層１１０の法線方向における長さである。
【０１２６】
発光装置３１１および発光装置３１２の製造工程においては、低屈折率層１３０を形成する材料を励起光源素子１８０上に堆積して成膜した後、低屈折率層１３０をパターニングする。パターニングは例えば公知の半導体プロセスを用いて行われる。パターニングにより、フォトルミネッセンス層１１０の下の透光層１２０（およびサブミクロン構造）が形成される。
【０１２７】
発光装置３１１および発光装置３１２の励起光源素子１８０は、例えば、ボトムエミッション型のＬＥＤである。発光装置３１１および発光装置３１２の励起光源素子１８０は、例えば、トップエミッション型のＬＥＤであってもよい。
【０１２８】
次に、図３４（ａ）を参照して、さらに他の実施形態による発光装置３１３を説明する。図３４（ａ）は、発光装置３１３の模式的な断面図である。
【０１２９】
発光装置３１３の低屈折率層１３０は、励起光源素子１８０側に、複数の第２の凸部１３１ａを有する点において、発光装置３１０の低屈折率層１３０と異なる。隣接する第２の凸部１３１ａ間の距離は、Ｄintよりも小さくてもよいし、大きくてもよい。発光装置３１３は、複数の第２の凸部１３１ａをさらに有する点を除いて、発光装置３１０と同じであってよい。
【０１３０】
発光装置３１３は、発光素子１００と励起光源素子１８０とが一体的に形成されているので、指向性および発光効率に優れた発光素子と励起光源とを含む発光装置の小型化を実現することができる。
【０１３１】
複数の第２の凸部１３１ａは、励起光源素子１８０と低屈折率層１３０との界面における励起光の反射を低減し得る。複数の第２の凸部１３１ａを有する発光装置３１３において、励起光源素子１８０が発する励起光は、低屈折率層１３０を通って、効率よくフォトルミネッセンス層１１０に導入される。ここで、界面における励起光の反射には、界面における励起光の反射および界面における励起光の全反射が含まれる。第２の凸部１３１ａによって、反射ロスおよび／または全反射ロスが低減されることにより、励起光が効率よくフォトルミネッセンス層１１０に導入される。
【０１３２】
例えば、隣接する第２の凸部１３１ａ間の距離が、Ｄintよりも小さい場合、複数の第２の凸部１３１ａは、例えば、いわゆるモスアイ構造を構成する。励起光源素子１８０のうち発光素子１００と接する層の屈折率は、例えば、低屈折率層１３０の屈折率よりも大きい。複数の第２の凸部１３１ａは、例えば、励起光源素子１８０のうち発光素子１００と接する層と同じ材料から形成される。複数の第２の凸部１３１ａが設けられていることにより、励起光源素子１８０が発する励起光に対する実効屈折率は、フォトルミネッセンス層１１０の法線方向に沿って、励起光源素子１８０の屈折率から低屈折率層１３０の屈折率まで連続的に変化する。これにより、励起光源素子１８０が発する励起光が効率よくフォトルミネッセンス層１１０に導入される。発光装置３１３は、発光素子の指向性および発光効率により優れている。
【０１３３】
複数の第２の凸部１３１ａが、励起光源素子１８０のうち発光素子１００と接する層と異なる材料から形成される場合は、複数の第２の凸部１３１ａは、例えば、低屈折率層１３０の屈折率よりも大きい屈折率を有する材料から形成される。
【０１３４】
第２の凸部１３１ａの形状は、例えば、略円錐または略角錐である。第２の凸部１３１ａの形状は、例えば、円錐または角錐の先端（頂点）が丸みを帯びている形状であってもよい。第２の凸部１３１ａの形状は、例えば、円錐台または角錐台であってもよい。第２の凸部１３１ａの形状は、例えば、略半球であってもよい。第２の凸部１３１ａの形状は、例えば、略円柱または略角柱であってもよい。第２の凸部１３１ａは、例えば、周期的に設けられている。第２の凸部１３１ａは、周期的に設けられていなくてもよい（即ち、不規則に配置されていてもよい）。
【０１３５】
複数の第２の凸部１３１ａは、上述のいわゆるモスアイ構造に限られない。例えば、隣接する第２の凸部１３１ａ間の距離は、Ｄintよりも大きくてもよい。第２の凸部１３１ａの形状は、例えば、周期性を有する凹凸構造であり得る。複数の第２の凸部１３１ａは、例えば回折格子を構成していてもよい。第２の凸部１３１ａは、例えば、周期的に設けられていなくてもよい。第２の凸部１３１ａによって、励起光の回折および／または散乱が生じるように、第２の凸部１３１ａの形状、高さ、サイズおよび周期が適宜設計されていてもよい。第２の凸部１３１ａにより、励起光源素子１８０と低屈折率層１３０との界面における全反射が効果的に抑制され得る。第２の凸部１３１ａによって、励起光の回折および／または散乱が生じることにより、励起光源素子１８０が発する励起光は、低屈折率層１３０を通って、効率よくフォトルミネッセンス層１１０に導入され得る。
【０１３６】
低屈折率層１３０の厚さは、第２の凸部１３１ａの高さよりも大きい。第２の凸部１３１ａの高さは、例えば、５０ｎｍ〜５０μｍである。低屈折率層１３０の厚さは、例えば、第２の凸部１３１ａの高さと第１の光の空気中の波長λaとの和よりも大きいことが望ましい。ここで、低屈折率層１３０の厚さおよび第２の凸部１３１ａの高さは、フォトルミネッセンス層１１０の法線方向における長さである。
【０１３７】
第２の凸部１３１ａは、例えば周期的に配置されている。第２の凸部１３１ａの周期（ピッチ）は、例えば、２００ｎｍ〜５０μｍである。ここで、第２の凸部１３１ａの周期は、フォトルミネッセンス層１１０に平行な面内において、隣接する第２の凸部１３１ａ間の距離である。第２の凸部１３１ａのサイズは、例えば、第２の凸部１３１ａの周期と同じである。第２の凸部１３１ａのサイズは、例えば、第２の凸部１３１ａの周期より小さくてもよい。ここで、第２の凸部１３１ａのサイズは、フォトルミネッセンス層１１０に平行な面内における、第２の凸部１３１ａのサイズ（例えば、第２の凸部１３１ａの底面が略円である場合はその直径、第２の凸部１３１ａの底面が矩形である場合はその一辺の長さ）である。
【０１３８】
発光装置３１３は、例えば、以下のように製造される。まず、第２の凸部１３１ａを、励起光源素子１８０上に、例えば、半導体プロセスまたは転写プロセス（例えばナノインプリント等）によって作製する。第２の凸部１３１ａを形成した後、励起光源素子１８０上に、低屈折率層１３０を形成する材料、フォトルミネッセンス層１１０を形成する材料、および、透光層１２０を形成する材料を順に堆積する。その後、透光層１２０を形成する材料をパターニングすることにより、サブミクロン構造を形成する。
【０１３９】
図３４（ｂ）および図３４（ｃ）を参照して、さらに他の実施形態による発光装置３１４および発光装置３１５を説明する。図３４（ｂ）は、発光装置３１４の模式的な断面図である。図３４（ｃ）は、発光装置３１５の模式的な断面図である。発光装置３１４および発光装置３１５は、発光素子１００の構成において、発光装置３１３と異なる。発光装置３１４および発光装置３１５は、発光素子１００の構成を除いて、発光装置３１３と同じであってよい。発光装置３１４は、複数の第２の凸部１３１ａをさらに有する点において、発光装置３１１と異なる。発光装置３１４は、複数の第２の凸部１３１ａをさらに有する点を除いて、発光装置３１１と同じであってよい。発光装置３１５は、複数の第２の凸部１３１ａをさらに有する点を除いて、発光装置３１２と異なる。発光装置３１５は、複数の第２の凸部１３１ａをさらに有する点を除いて、発光装置３１２と同じであってよい。
【０１４０】
発光装置３１４および発光装置３１５において、低屈折率層１３０の厚さは、第２の凸部１３１ａの高さと透光層１２０の厚さとの合計よりも大きい。第２の凸部１３１ａの高さは、例えば、５０ｎｍ〜５０μｍである。低屈折率層１３０の厚さは、例えば、第２の凸部１３１ａの高さと第１の光の空気中の波長λaとの和よりも大きいことが望ましい。ここで、低屈折率層１３０の厚さ、透光層１２０の厚さおよび第２の凸部１３１ａの高さは、フォトルミネッセンス層１１０の法線方向における長さである。低屈折率層１３０の厚さは、図示する例においては、第２の凸部１３１ａの底面から、低屈折率層１３０とフォトルミネッセンス層１１０とが接する面までの、フォトルミネッセンス層１１０の法線方向における長さである。
【０１４１】
図３５に、さらに他の実施形態による発光装置３１６の模式的な断面図を示す。図３５に示すように、励起光源素子１８０は、側面に反射膜１８８を有してもよい。励起光源素子１８０の側面から励起光が漏れることにより、励起光のロス（即ち、フォトルミネッセンス層１１０に導入されない光）が発生し得る。側面に反射膜１８８を設けることによって、励起光が効率よくフォトルミネッセンス層１１０に導かれる。ここで、励起光源素子１８０の側面とは、例えば、出射面と垂直な面である。反射膜１８８は、例えば、誘電体多層膜または金属から形成される。反射膜１８８は、例えば、ＴｉＯ2またはＢａＳＯ4等から形成されてもよい。
【０１４２】
上述した例においては、励起光源素子１８０は例えばＬＥＤであるが、これに限られない。上述した実施形態による発光装置の励起光源素子１８０は、例えば、レーザであってもよい。一般に、レーザが発する光は、ＬＥＤが発する光よりも単色性に優れているので、フォトルミネッセンス層１１０への励起光の導入効率が向上され得る。
【０１４３】
励起光源素子１８０として用いられるレーザの構造を、図３６（ａ）および図３６（ｂ）を参照して説明する。図３６（ａ）は、端面発光レーザの構造を説明するための模式図であり、図３６（ｂ）は、面発光レーザの構造を説明するための模式図である。ただし、レーザの構造は、図示するものに限定されない。励起光源素子１８０として、公知のレーザを用いることができる。レーザの構造および原理についてはよく知られているので、詳しい説明は省略する。
【０１４４】
図３６（ａ）に示すように、端面発光レーザにおいては、例えば、基板１８４上に共振器１８５が設けられている。共振器１８５の反射鏡１８５ａは、例えば、基板１８４と平行な面内において、共振器１８５の両端に設けられている。基板１８４のへき開された端面が反射鏡として機能することにより、共振器１８５が形成されていてもよい。端面発光レーザにおいて、レーザ光は、基板１８４に平行な方向に出射される。図３６（ｂ）に示すように、面発光レーザを励起光源素子１８０として用いてもよい。面発光レーザにおいて、共振器１８５の反射鏡１８５ａは、例えば、基板１８４と平行に設けられる。レーザ光は、基板１８４に垂直な方向に出射される。
【０１４５】
レーザを励起光源素子１８０として用いる発光装置においては、励起光源素子１８０の出射面が、発光素子１００と接してもよい。励起光源素子１８０の出射面は、例えば、フォトルミネッセンス層１１０または透光層１２０と直接接してもよい。励起光源素子１８０として、例えば、半導体レーザを用いることができる。半導体レーザにおいては、ｐｎ接合に電圧を印加することにより、レーザ発振が起こる。例えば、窒化ガリウム系半導体を材料とする半導体レーザを用いてもよい。
【０１４６】
図３７（ａ）および図３７（ｂ）は、それぞれ、端面発光レーザを励起光源素子１８０として有する、発光装置３１７および発光装置３１８を模式的に示す断面図である。図３７（ａ）に示すように、フォトルミネッセンス層１１０が、励起光源素子１８０から出射される励起光の方向に垂直に設けられていてもよい。図３７（ｂ）に示すように、フォトルミネッセンス層１１０が、励起光源素子１８０から出射される励起光の方向に平行に設けられていてもよい。
【０１４７】
上述した実施形態による発光装置は、フォトルミネッセンス層１１０の上面側に配置された選択反射層１７０をさらに有してもよい。図３８を参照して、発光装置３２０を説明する。図３８は、発光装置３２０の模式的な断面図である。
【０１４８】
発光装置３２０の発光素子１００は、フォトルミネッセンス層１１０の上面側に配置された選択反射層１７０をさらに有する。図３８に図示する例においては、発光装置３２０は、選択反射層１７０をさらに有する点を除いて発光装置３１４と同じである。発光装置３２０は、これに限られない。発光装置３２０は、選択反射層１７０をさらに有する点を除いて、上述した本開示の実施形態による発光装置のいずれかまたはいずれか複数の組み合わせと同じであってよい。発光装置３２０の発光素子１００は、選択反射層１７０をさらに有する点を除いて、上述した本開示の実施形態による発光素子のいずれかまたはいずれか複数の組み合わせと同じであってよい。
【０１４９】
発光装置３２０は、発光素子１００と励起光源素子１８０とが一体的に形成されているので、指向性および発光効率に優れた発光素子と励起光源とを含む発光装置の小型化を実現することができる。
【０１５０】
選択反射層１７０は、特定の波長領域の光のみを透過および反射する光学フィルタである。例えば、励起光源素子１８０が発する励起光のうちフォトルミネッセンス層１１０を透過したものが、選択反射層１７０によって反射されることで、励起光のフォトルミネッセンス層１１０への導入効率が向上し得る。発光装置３２０の発光素子は、優れた指向性および発光効率を実現し得る。選択反射層１７０は、フォトルミネッセンス層１１０が発する光は反射せず透過するように設定され得る。発光装置３２０の発光素子の指向性および発光効率は、より向上され得る。さらに、発光装置３２０から出射される光の波長を、選択反射層１７０によって選択することができる。発光装置３２０から出射される光は、優れた単色性を有し得る。
【０１５１】
選択反射層１７０は、上記の例に限られず、任意に設定され得る。例えば、選択反射層１７０は、励起光のうちフォトルミネッセンス層１１０を透過したものと、フォトルミネッセンス層１１０が発する光との両方を透過するように、設定されてもよい。例えば、選択反射層１７０は、励起光のうちフォトルミネッセンス層１１０を透過したものと、フォトルミネッセンス層１１０が発する光との両方が、フォトルミネッセンス層１１０の法線方向に出射されるように、設定されてもよい。この場合、発光装置３２０から出射される光は、共にフォトルミネッセンス層１１０の法線方向に出射される（指向性に優れる）光であって、互いに異なる波長の光を含むことができる。発光装置３２０から出射される光の多色化および白色化が実現され得る。
【０１５２】
選択反射層１７０は、例えば、誘電体多層膜構造を有する。誘電体多層膜は、よく知られているように、屈折率の異なる誘電体を交互に積層することにより作製される。それぞれの誘電体膜の材料（例えば屈折率）および厚さは、選択反射層１７０の有する反射性および／または透過性に応じて適宜決定される。選択反射層１７０は、例えば、バンドパスフィルタまたはダイクロイックミラーである。
【産業上の利用可能性】
【０１５３】
本開示の発光素子によれば、指向性を有する発光装置を実現できるため、例えば、照明、ディスプレイ、プロジェクターといった光学デバイスに適用可能である。
【符号の説明】
【０１５４】
１００、１００ａ    発光素子
１１０    フォトルミネッセンス層（導波路）
１２０、１２０’、１２０ａ、１２０ｂ、１２０ｃ    透光層（周期構造、サブミクロン構造）
１３０    低屈折率層
１４０    透明基板
１５０    保護層
１７０    選択反射層
１８０    光源（励起光源素子）
２００、３００〜３０２、３１０〜３１８、３２０    発光装置
【図１Ａ】
2016034017.tif 000020
【図１Ｂ】
2016034017.tif 000021
【図１Ｃ】
2016034017.tif 000022
【図１Ｄ】
2016034017.tif 000023
【図２】
2016034017.tif 000024
【図３】
2016034017.tif 000025
【図４】
2016034017.tif 000026
【図５Ａ】
2016034017.tif 000027
【図５Ｂ】
2016034017.tif 000028
【図５Ｃ】
2016034017.tif 000029
【図６】
2016034017.tif 000030
【図７Ａ】
2016034017.tif 000031
【図７Ｂ】
2016034017.tif 000032
【図８】
2016034017.tif 000033
【図９】
2016034017.tif 000034
【図１０】
2016034017.tif 000035
【図１１】
2016034017.tif 000036
【図１２】
2016034017.tif 000037
【図１３】
2016034017.tif 000038
【図１４】
2016034017.tif 000039
【図１５】
2016034017.tif 000040
【図１６】
2016034017.tif 000041
【図１７】
2016034017.tif 000042
【図１８Ａ】
2016034017.tif 000043
【図１８Ｂ】
2016034017.tif 000044
【図１９Ａ】
2016034017.tif 000045
【図１９Ｂ】
2016034017.tif 000046
【図１９Ｃ】
2016034017.tif 000047
【図２０】
2016034017.tif 000048
【図２１】
2016034017.tif 000049
【図２２】
2016034017.tif 000050
【図２３】
2016034017.tif 000051
【図２４】
2016034017.tif 000052
【図２５】
2016034017.tif 000053
【図２６】
2016034017.tif 000054
【図２７】
2016034017.tif 000055
【図２８】
2016034017.tif 000056
【図２９】
2016034017.tif 000057
【図３０】
2016034017.tif 000058
【図３１】
2016034017.tif 000059
【図３２】
2016034017.tif 000060
【図３３】
2016034017.tif 000061
【図３４】
2016034017.tif 000062
【図３５】
2016034017.tif 000063
【図３６】
2016034017.tif 000064
【図３７】
2016034017.tif 000065
【図３８】
2016034017.tif 000066